(57)【要約】【課題】被綴じ物の綴じ孔に挿通し易く且つ開閉の容易な綴具を提供する。【解決手段】この発明の綴具は、綴じ環１２，１４を間隔をおいて設けることができる保持部材１６と、各綴じ環がその基部において間隔をおいて、作動片３０，３２に固定され、保持部材の内側に固定された作動部材１８と、開閉部材４０とを備え、前記綴じ環を開くときに、保持部材内で、前記綴じ環を保持部材の長手方向に移動させるように形成され、前記綴じ環を構成する、一方の綴じ部材１２ｂ，１４ｂは、略円形状であり、他方の綴じ部材１２ａ，１４ａは、略直線状であり、前記一方の綴じ部材と他方の綴じ部材とは、閉じられたときに先端において係合され、且つ、前記作動片の移動に伴って開かれたときに、他方の綴じ部材１２ａ，１４ａは、垂直状になるように、作動片３０に固定されている。【選択図】図２
2010036555.tif 000002
【特許請求の範囲】
【請求項１】
複数の開閉自在の綴じ環と、
前記綴じ環を間隔をおいて設けることができる長さを備えた保持部材と、
各綴じ環がその基部において間隔をおいてその表面に固定され、綴じ環が保持部材に固定されるように保持部材の内側に固定された作動部材と、
前記綴じ環を付勢する開閉部材とを備え、
前記作動部材は、保持部材内で保持部材の長手方向に移動する一対の作動片からなり、
一方の作動片には一方の綴じ部材の基部が固定され、他方の作動片には他方の綴じ部材の基部が固定され、
前記綴じ環を開くときに、保持部材内で、前記綴じ環を保持部材の長手方向に移動させるように形成され、
前記綴じ環は、一対の綴じ部材により構成され、
前記一方の綴じ部材は、略円形状であり、
前記他方の綴じ部材は、略直線状であり、
前記一方の綴じ部材と他方の綴じ部材とは、閉じられたときに輪状になるようにその先端において係合され、且つ、
前記一方の綴じ部材と他方の綴じ部材が前記作動片の移動に伴って開かれたときに、他方の綴じ部材は、垂直状になるように、作動片に固定された、綴具。
【請求項２】
前記綴具は、表表紙と、裏表紙と、前記表表紙と裏表紙との間に形成された背表紙とを有する表紙における、前記裏表紙に固定され、前記一方の綴じ部材と他方の綴じ部材が前記作動片の移動に伴って開かれたときに、他方の綴じ部材は、背表紙に直交するように、作動片に固定された、請求項１に記載の綴具。
【請求項３】
前記一方の綴じ部材と他方の綴じ部材とを係合する係合部は、綴じ部材ののびる方向と交差する方向に突き出た凸部と、綴じ部材ののびる方向と交差する方向に穿設された凹部とを有する、請求項１又は２に記載の綴具。
【発明の詳細な説明】
【技術分野】
【０００１】
この発明は、綴具に関し、特に例えば、Ｄの字リング状（Ｄ型リング）綴具に関する。
【背景技術】
【０００２】
従来、Ｄ型リング綴具は、リングの直線部で書類等の被綴じ物がきれいに揃い、ページ送りがスムーズにできるという特徴を備える。
【０００３】
【特許文献１】ＷＯ  ２００７／１０２２３１  Ａ１
【発明の開示】
【発明が解決しようとする課題】
【０００４】
従来のＤ型リング綴具は、リングの直線部がその先端においてＬ字型に曲がっているために、書類等の被綴じ物の綴じ孔に挿通しにくいという問題があった。
このＤ型綴具のリングを指で開くとき、比較的多く書類等の被綴じ物が綴じられているとき、指でリングを構成する一対のリング構成杆を開きにくいことがある。
それゆえに、この発明の主たる目的は、被綴じ物の綴じ孔に挿通し易く且つ開閉の容易な綴具を提供することである。
【課題を解決するための手段】
【０００５】
この発明にかかる綴具は、複数の開閉自在の綴じ環と、前記綴じ環を間隔をおいて設けることができる長さを備えた保持部材と、各綴じ環がその基部において間隔をおいてその表面に固定され、綴じ環が保持部材に固定されるように保持部材の内側に固定された作動部材と、前記綴じ環を付勢する開閉部材とを備え、前記作動部材は、保持部材内で保持部材の長手方向に移動する一対の作動片からなり、一方の作動片には一方の綴じ部材の基部が固定され、他方の作動片には他方の綴じ部材の基部が固定され、前記綴じ環を開くときに、保持部材内で、前記綴じ環を保持部材の長手方向に移動させるように形成され、前記綴じ環は、一対の綴じ部材により構成され、前記一方の綴じ部材は、略円形状であり、前記他方の綴じ部材は、略直線状であり、前記一方の綴じ部材と他方の綴じ部材とは、閉じられたときに輪状になるようにその先端において係合され、且つ、前記一方の綴じ部材と他方の綴じ部材が前記作動片の移動に伴って開かれたときに、他方の綴じ部材は、垂直状になるように、作動片に固定された、綴具である。
この発明の請求項２にかかる綴具は、前記綴具は、表表紙と、裏表紙と、前記表表紙と裏表紙との間に形成された背表紙とを有する表紙における、前記裏表紙に固定され、前記一方の綴じ部材と他方の綴じ部材が前記作動片の移動に伴って開かれたときに、他方の綴じ部材は、背表紙に直交するように、作動片に固定された、請求項１に記載の綴具である。
この発明の請求項３にかかる綴具は、前記一方の綴じ部材と他方の綴じ部材とを係合する係合部は、綴じ部材ののびる方向と交差する方向に突き出た凸部と、綴じ部材ののびる方向と交差する方向に穿設された凹部とを有する、請求項１又は２に記載の綴具である。
【発明の効果】
【０００６】
この発明の綴具は、複数の開閉自在の綴じ環と、前記綴じ環を間隔をおいて設けることができる長さを備えた保持部材と、各綴じ環がその基部において間隔をおいてその表面に固定され、綴じ環が保持部材に固定されるように保持部材の内側に固定された作動部材と、前記綴じ環を付勢する開閉部材とを備え、前記作動部材は、保持部材内で保持部材の長手方向に移動する一対の作動片からなり、一方の作動片には一方の綴じ部材の基部が固定され、他方の作動片には他方の綴じ部材の基部が固定され、前記綴じ環を開くときに、保持部材内で、前記綴じ環を保持部材の長手方向に移動させるように形成され、前記綴じ環は、一対の綴じ部材により構成され、前記一方の綴じ部材は、略円形状であり、前記他方の綴じ部材は、略直線状であり、前記一方の綴じ部材と他方の綴じ部材とは、閉じられたときに輪状になるようにその先端において係合され、且つ、前記一方の綴じ部材と他方の綴じ部材が前記作動片の移動に伴って開かれたときに、他方の綴じ部材は、垂直状になるように、作動片に固定されているので、被綴じ物の綴じ孔に挿通し易く且つ開閉の容易な綴具を提供することができる。
請求項２の発明は、前記綴具は、表表紙と、裏表紙と、前記表表紙と裏表紙との間に形成された背表紙とを有する表紙における、前記裏表紙に固定され、前記一方の綴じ部材と他方の綴じ部材が前記作動片の移動に伴って開かれたときに、他方の綴じ部材は、背表紙に直交するように、作動片に固定されているので、表紙を開いたときに、他方の綴じ部材が裏表紙から略垂直に立ち上がり、被綴じ物の綴じ孔に挿入し易い。
請求項３の発明は、前記一方の綴じ部材と他方の綴じ部材とを係合する係合部は、綴じ部材ののびる方向と交差する方向に突き出た凸部と、綴じ部材ののびる方向と交差する方向に穿設された凹部とを有するので、綴じ部材の係合部近傍を指で捻って、係合を解除し、綴じ環を容易に開くことができる。
【０００７】
この発明の上述の目的、その他の目的、特徴および利点は、図面を参照して行う以下の発明を実施するための最良の形態の説明から一層明らかとなろう。
【発明を実施するための最良の形態】
【０００８】
この発明にかかる実施の形態である２穴Ｄ型リング綴具について説明する。
図１は、本発明にかかる一実施の形態である綴具を備えたファイル・バインダ類を示す斜視図である。図２は、本発明にかかる一実施の形態である綴具の一例を示す斜視図であり、図３は、保持部材の斜視図である。図４は、作動部材及び開閉部材の斜視図解図である。図５は、開閉部材の平面図である。図６は、開閉部材の側面図解図で、（Ａ）は元の状態の側面図解図で（Ｂ）（Ｃ）は巻線部の円周方向に力を加えた状態の側面図解図である。図７Ａは、閉じた状態における綴じ環と作動部材を示す平面図解図であり、図７Ｂは、閉じた状態における綴じ環と作動部材を示す左側図解図であり、図７Ｃ閉じた状態における綴じ環と作動部材を示す正面図解図であり、図７Ｄは、閉じた状態における綴じ環と作動部材を示す底面図解図である。図８は、閉じた状態における綴具の平面図である。図９は、閉じた状態における綴具の底面図である。図１０は、閉じた状態における綴具の横断面図であり、（Ａ）は、図９Ａ−Ａ断面図であり、（Ｂ）は、図９Ｂ−Ｂ断面図である。図１１は、綴じ環を開く状態を示す綴具の底面図である。図１２は、綴じ環を開く状態を示す綴具の綴じ環の図解図である。
【０００９】
この発明の一実施の形態である綴具１０は、表表紙１１１２と、裏表紙１１１４と、前記表表紙１１１２と裏表紙１１１４との間に形成された背表紙１１１６とを有する表紙１１１０において、前記裏表紙１１１４に固定される。
図２ないし１５に示す綴具１０は、厚紙その他の比較的硬質なシート材からなる表紙１１１０の略中央に形成される左右一対の薄肉ヒンジ部１１１８，１１２０のうち右側の裏表紙１１１４の内側表面に固定される。
固定する方法としては、綴具１０の長手方向の両端に形成された取付孔２０（後に詳述する）にボルトとナットやはとめ等の固着具を挿通させて、背表紙１１１６と一体となるように固定する方法がある。なお、ここでは、固着具として、ボルトとナットを用いて説明するが、これに限ることなく、例えば、ビス、はとめ、リベット等を用いてもよい。
以下、綴具の説明をする。
【００１０】
綴具１０は、環状の綴杆を構成する一対のそれぞれを閉じたとき略Ｄの字の環状となる金属製の第１の綴じ環１２および第１の綴じ環１２と対になる第２の綴じ環１４と、前記第１の綴じ環１２および第２の綴じ環１４をそれぞれ間隔をおいて設けることができる長さを備えた保持部材１６と、第１の綴じ環１２と第２の綴じ環１４とが保持部材１６に固定されるように、表面側よりのびるように第１の綴じ環１２と第２の綴じ環１４とを固定された一対の板状の作動片が保持部材１６の内側に移動自在に固定された、作動部材１８とを備える。
【００１１】
この綴具１０の綴杆は、主綴杆たる第１の綴じ環１２と副綴杆たる第２の綴じ環１４とからなる開閉自在の２穴タイプであり、第１の綴じ環１２と第２の綴じ環１４とがその先端でかみあって略Ｄの字状になる。
第１の綴じ環１２と第２の綴じ環１４とは、同一方向に向けて、その綴杆係止部５０を指で外すことができるように構成されている。
そして、綴杆を閉じるときは、主綴杆たる第１の綴じ環１２を、例えば親指と人差し指で直接挟んで閉じるように構成されており、第１の綴じ環１２を２本の指で挟んで閉じる方向に作動させると、副綴杆たる第２の綴じ環１４は追動するように構成されている。
【００１２】
保持部材１６は、第１の綴じ環１２と第２の綴じ環１４とを所定の間隔をおいて設けることができる長さを備える平面視略長方形で、その両端、すなわち表紙Ａに取り付ける取付孔２０近傍においては、平面視略半円弧状に形成されている。
保持部材１６は、第１の綴じ環１２および第２の綴じ環１４を固定する部位より長手方向における外側近傍より内側に向かって、その中央が膨出した断面略半円弧状の被綴じ物載置部２２を備え、且つ、被綴じ物載置部２２の内側は保持空間を備え、その保持空間に作動部材１８等を収容するように構成されている。
保持部材１６の被綴じ物載置部２２の両端には、その長手方向に略その一端から他端に亘って、作動部材１８を摺動自在に保持する保持壁２４が設けられている。この実施の形態においては、保持壁２４は、保持部材１６の長手方向において、第１の綴じ環１２および第２の綴じ環１４のそれぞれの外側近傍より内部に亘って略全体において垂下されるように、第１の保持壁２４ａおよび第２の保持壁２４ｂが連設され、第１の保持壁２４ａと第２の保持壁２４ｂとは平行で略同一の形状の板状である。
そして、この第１の保持壁２４ａおよび第２の保持壁２４ｂと被綴じ物載置部２２によって囲繞された保持空間内に、後に詳しく説明する作動部材１８、開閉部材４０等が収容される。
【００１３】
保持部材１６の被綴じ物載置部２２には、第１の綴じ環１２と第２の綴じ環１４とを、一定の間隔（日本工業規格等で決められている一定の長さ）をおいて遊貫するための第１の貫通孔２６と第２の貫通孔２８がそれぞれ穿設されている。
第１の貫通孔２６と第２の貫通孔２８とは、第１の綴じ環１２を構成する第１の綴じ部材１２ａおよび第２の綴じ部材１２ｂと、第２の綴じ環１４を構成する第３の綴じ部材１４ａおよび第４の綴じ部材１４ｂとに対応して、保持部材１６の幅方向において左右に分かれて一定の間隔をおいて、２つずつ穿設されている。
【００１４】
作動部材１８は、平面視略長方形状金属板からなる一対の第１の作動片３０および第２の作動片３２からなる。
第１の作動片３０及び第２の作動片３２は、その長手方向において、第１の保持壁２４ａ及び第２の保持壁２４ｂと平行でその内面に摺動する外側端縁３０ｂ及び外側端縁３２ｂが形成され、該外側端縁３０ｂ及び外側端縁３２ｂと平行に当該一対の第１の作動片３０及び第２の作動片３２を突き合わせる突き合わせ縁３０ａ及び突き合わせ縁３２ａが内側縁に形成されている。第１の作動片３０及び第２の作動片３２は、突き合わせ縁３０ａ及び突き合わせ縁３２ａの長手方向における中央Ｃ（図７及び図９図示）を対称の中心とする点対称形で、保持部材１６の保持空間内において各々をその長手方向において並置したとき、各々その内側縁において屈曲自在に係合する。
【００１５】
そして、第１の作動片３０および第２の作動片３２は、外側から力が加わらないときには、第１の作動片３０と第２の作動片３２とが谷折り、すなわち保持部材１６の被綴じ物載置部２２の内面より離れた方向（突き合わせ縁３０ａおよび突き合わせ縁３２ａが、図７図示平面Ｐxyより下側）に向いて、あるいはまた、山折り、すなわち保持部材１６の被綴じ物載置部２２の内面に近づいた方向（突き合わせ縁３０ａおよび突き合わせ縁３２ａが図７図示平面Ｐxyより上側）に向いて、その谷折りまたは山折りの状態を維持するように、保持部材１６の内側の保持空間部に内設されている。
平面Ｐxyとは、第１の綴じ環１２と第２の綴じ環１４それぞれの基部が第１の作動片３０と第２の作動片３２に固着された部分（４箇所）を通る左右軸Ｙ1，Ｙ2および前後軸Ｘ1，Ｘ2（図７図示）を含む平面である。
【００１６】
作動部材１８は、一方の作動片、すなわち第１の作動片３０における保持部材１６の被綴じ物載置部２２の内側面と対向する表面（すなわち上面）には、第１の綴じ環１２を構成する第１の綴じ部材１２ａの基部が固定され、且つ、前記第１の綴じ部材１２ａとは一定の間隔をおいて、第２の綴じ環１４を構成する第３の綴じ部材１４ａの基部が固定されている。
また、他方の作動片、すなわち第２の作動片３２における保持部材１６の被綴じ物載置部２２と対向する表面（すなわち上面）には、第１の綴じ環１２を構成する第２の綴じ部材１２ｂの基部が固定され、且つ、前記第２の綴じ部材１２ｂと一定の間隔をおいて、第２の綴じ環１４を構成する第４の綴じ部材１４ｂの基部が固定されている。
【００１７】
一方の作動片、すなわち第１の作動片３０は、前記保持部材１６に形成された第１の貫通孔２６に通される突出部３０ｃ1（第１の綴じ部材１２ａの近傍に形成）および前記保持部材１６に形成された第２の貫通孔２８に通される突出部３０ｃ2（第３の綴じ部材１４ａの近傍に形成）が形成されている。
第２の作動片３２は、前記保持部材１６に形成された第１の貫通孔２６に通される突出部３２ｃ1（第２の綴じ部材１２ｂの近傍に形成）及び前記保持部材１６に形成された第２の貫通孔２８に通される突出部３２ｃ2（第４の綴じ部材１４ｂの近傍に形成）が形成されている。
そして、一対の第１の作動片３０及び第２の作動片３２は、前記突出部３０ｃ1と突出部３０ｃ2および突出部３２ｃ1と突出部３２ｃ2が第１の貫通孔２６と第１の貫通孔２６及び第２の貫通孔２８と第２の貫通孔２８に通された状態で、突き合わされている。
第１の作動片３０及び第２の作動片３２は、突き合わせ縁３０ａおよび突き合わせ縁３２ａが、綴杆、すなわち第１の綴じ環１２及び第２の綴じ環１４を開いた際には前記保持部材１６の内面に近づき且つ前記第１の綴じ環１２及び第２の綴じ環１４を閉じた際には前記保持部材１６の内面から離れるように、前記第１の綴じ環１２及び第２の綴じ環１４を開閉する方向に揺動可能に、前記保持部材１６に保持される。
【００１８】
第１の作動片３０は、一対の作動片が突き合わされる略直線状の突き合わせ縁３０ａが内側に形成され、前記突き合わせ縁３０ａと略平行な略直線状の外側端縁３０ｂが外側に形成されている。
第２の作動片３２は、一対の作動片が突き合わされる略直線状の突き合わせ縁３２ａが内側に形成され、前記突き合わせ縁３２ａと略平行な略直線状の外側端縁３２ｂが外側に形成されている。
第１の作動片３０の外側端縁３０ｂは、突出部３０ｃ1及び突出部３０ｃ2が、形成されている。
第２の作動片３２の外側端縁３２ｂは、突出部３２ｃ1及び突出部３２ｃ2が、形成されている。
すなわち、その突き合わせ縁３０ａおよび突き合わせ縁３２ａが突き合わされ且つ外側端縁３０ｂおよび外側端縁３２ｂが保持部材１６の第１の保持壁２４ａと第２の保持壁２４ｂとの両壁内内側面に接近する。
【００１９】
前記突出部３０ｃ1と突出部３０ｃ2とは、第１の綴じ部材１２ａと第３の綴じ部材１４ａの基部の取付け位置に近い位置である第１の作動片３０の幅方向において外側で、それぞれ前後に間隔をあけて一対形成され、且つ、突出部３２ｃ1と突出部３２ｃ2とは、第２の綴じ部材１２ｂと第４の綴じ部材１４ｂの基部の取付け位置に近い位置である第２の作動片３２の幅方向において外側で、それぞれ前後に間隔をあけて一対形成され、第１の綴じ環１２及び第２の綴じ環１４の開閉ができるように、保持部材１６の第１の保持壁２４ａ及び第２の保持壁２４ｂより外側に突出している。
突出部３０ｃ1と突出部３０ｃ2とは、保持部材１６の第１の保持壁２４ａの第１の貫通孔２６及び第２の貫通孔２８より外側に突き出る長さを備え、また、突出部３２ｃ1と突出部３２ｃ2とは、保持部材１６の第２の保持壁２４ｂの第１の貫通孔２６及び第２の貫通孔２８より外側に突き出る長さを備え、且つ、作動部材１８が綴杆の開閉時に保持部材１６の長手方向に移動可能な幅を有する舌状である。
作動片３０及び作動片３２は、金属またプラスチックの薄板からなり、作動片３０及び作動片３２と突出部３０ｃ1、突出部３０ｃ2、突出部３２ｃ1及び突出部３２ｃ2とは一体成形されてなる。
【００２０】
前記開閉部材４０は、第１の綴じ環１２及び第２の綴じ環１４が固定された表面とは反対側の裏面側において、作動部材１８に固定され、前記第１の綴じ環１２及び第２の綴じ環１４を開くときに、保持部材１６内で、前記作動片３０及び作動片３２を保持部材１６の長手方向に移動させるとともに保持部材１６の内面に近づいた方向に保持されるように、第１の綴じ環１２及び第２の綴じ環１４を開く方向に変化させるように形成されている。
【００２１】
前記作動部材１８は、前記第１の綴じ環１２及び第２の綴じ環１４を固定された表面側とは反対側の裏面側において、第１の綴じ環１２及び第２の綴じ環１４を開く方向に付勢する開閉部材４０が固定され作動部材１８に固定されている。
そして、前記第１の綴じ環１２及び第２の綴じ環１４を閉じたときには、作動片３０及び作動片３２は、保持部材１６の内面より離れた位置において、その突き合わせ縁３０ａ及び突き合わせ縁３２ａが突き合わせた状態において、略平面あるいは谷折り状に保持され、そして、前記第１の綴じ環１２及び第２の綴じ環１４を開いたときには、作動片３０及び作動片３２は、その突き合わせ縁３０ａ及び突き合わせ縁３２ａが突き合わせた状態において保持部材１６の内面に近づいた方向に向いて山折り状に保持されるように、保持部材１６に固定されている。
【００２２】
前記第１の作動片３０は、突き合わせ縁３０ａの両端近傍であって、第１の綴じ部材１２ａ及び第３綴じ部材の１４ａの基部が固定された領域より突き合わせ縁３０ａ寄りを、突き合わせ縁３０ａの両端近傍を突き合わせ縁３０ａに沿って周囲の基準面ＬＰ1より開閉部材４０を固定される面側に曲げて凹まされて第１の作動片の向こう側凹み部１３０ｄ及び第１の作動片の手前側凹み部１３０ｅを形成されている。そして、第１の作動片の手前側凹み部１３０ｅ及び第１の作動片の向こう側凹み部１３０ｄにより前記基準面ＬＰ1より係合部を有する第１の作動片の向こう側第２係合部１３６ｂ4が形成されている。
【００２３】
また、前記第２の作動片３２は、突き合わせ縁３２ａの両端近傍であって、第２の綴じ部材１２ｂ及び第４の綴じ部材１４ｂの基部が固定された領域より突き合わせ縁３２ａ寄りを、突き合わせ縁３２ａの両端近傍を突き合わせ縁３２ａに沿って周囲の基準面ＬＰ2より開閉部材４０を固定される面側に曲げて凹まされて第２の作動片の手前側凹み部１３２ｅ及び第２の作動片の向こう側凹み部１３２ｄを形成されている。そして、該第２の作動片の手前側凹み部１３２ｅ及び第２の作動片の向こう側凹み部１３２ｄにより前記基準面より低い係合面を有する第２の作動片の向こう側第２係合部１３６ｂ1を形成されている。
【００２４】
前記第１の作動片３０は、突き合わせ縁３０ａを周囲の基準面ＬＰ1より開閉部材４０を固定される面側に曲げて凹まされて第１の作動片の向こう側凹み部１３０ｄが形成され且つ開閉部材４０を固定される面とは反対側に曲げて基準面ＬＰ1より低い係合面を有する第１の作動片の向こう側第１係合部１３６ａ1を形成されるとともに、前記第２の作動片３２は、突き合わせ縁３２ａを周囲の基準面ＬＰ2より開閉部材４０を固定される面側に曲げて凹まされて第２の作動片の向こう側凹み部１３２ｄが形成され且つ前記基準面ＬＰ2より低い係合面を有する第２の作動片の向こう側第２係合部１３６ｂ1を形成され、前記第１の作動片の向こう側第１係合部１３６ａ1の係合面と前記第２の作動片の向こう側第２係合部１３６ｂ1の係合面とは、前記基準面ＬＰ1及び基準面ＬＰ2と略々同じ高さ又は低い高さにおいて、係合されている。
【００２５】
また、前記第２の作動片３２は、突き合わせ縁３２ａを周囲の基準面ＬＰ2より開閉部材４０を固定される面側に曲げて凹まされて第２の作動片の手前側凹み部１３２ｅが形成され且つ開閉部材４０を固定される面とは反対側に曲げて基準面ＬＰ2より低い係合面を有する第２の作動片の手前側第１係合部１３６ａ3を形成されるとともに、前記第１の作動片３０は、突き合わせ縁３０ａを周囲の基準面ＬＰ1より開閉部材４０を固定される面側に曲げて凹まされて第１の作動片の手前側凹み部１３０ｅが形成され且つ前記基準面ＬＰ1より低い係合面を有する第１の作動片の手前側第２係合部１３６ｂ3を形成され、前記第２の作動片の手前側第１係合部１３６ａ3の係合面と前記第１の作動片の手前側第２係合部１３６ｂ3の係合面とは、前記基準面ＬＰ1及び基準面ＬＰ2と略々同じ高さ又は低い高さにおいて、係合されている。
【００２６】
前記第１の作動片３０は、突き合わせ縁３０ａを周囲の基準面ＬＰ1より開閉部材４０を固定される面側に曲げて凹まされて第１の作動片の手前側凹み部１３０ｅが形成され且つ開閉部材４０を固定される面とは反対側に曲げて基準面ＬＰ1より低い係合面を有する第１の作動片の手前側第１係合部１３６ａ2を形成されるとともに、前記第２の作動片３２は、突き合わせ縁３２ａを周囲の基準面ＬＰ2より開閉部材４０を固定される面側に曲げて凹まされて第２の作動片の手前側凹み部１３２ｅが形成され且つ前記基準面ＬＰ2より低い係合面を有する第２の作動片の手前側第２係合部１３６ｂ2を形成され、前記第１の作動片の手前側第１係合部１３６ａ2の係合面と前記第２の作動片の手前側第２係合部１３６ｂ2の係合面とは、前記基準面ＬＰ1及び基準面ＬＰ2と略々同じ高さ又は低い高さにおいて、係合されている。
【００２７】
また、前記第２の作動片３２は、突き合わせ縁３２ａを周囲の基準面ＬＰ2より開閉部材４０を固定される面側に曲げて凹まされて第２の作動片の向こう側凹み部１３２ｄが形成され且つ開閉部材４０を固定される面とは反対側に曲げて基準面ＬＰ2より低い係合面を有する第２の作動片の向こう側第１係合部１３６ａ4を形成されるとともに、前記第１の作動片３０は、突き合わせ縁３０ａを周囲の基準面ＬＰ1より開閉部材４０を固定される面側に曲げて凹まされて第１の作動片の向こう側凹み部１３０ｄが形成され且つ前記基準面ＬＰ1より低い係合面を有する第１の作動片の向こう側第２係合部１３６ｂ4を形成され、前記第２の作動片の向こう側第１係合部１３６ａ4の係合面と前記第１の作動片の向こう側第２係合部１３６ｂ4の係合面とは、前記基準面ＬＰ1及び基準面ＬＰ2と略々同じ高さ又は低い高さにおいて、係合されている。
【００２８】
前記第１の作動片３０の第１係合部１３６ａの係合面と前記第２の作動片３２の第２係合部１３６ｂの係合面とを、前記基準面ＬＰ1及び基準面ＬＰ2と略々同じ高さ又は低い高さにおいて係合されている。
前記第２の作動片３２の第１係合部１３６ａの係合面と前記第１の作動片３０の第２係合部１３６ｂの係合面とを、前記基準面ＬＰ1及び基準面ＬＰ2と略々同じ高さ又は低い高さにおいて係合されている。
第１係合部１３６ａは、第１の作動片の向こう側第１係合部１３６ａ1、第１作動片の手前側第１係合部１３６ａ2、第２の作動片の手前側第１係合部１３６ａ3及び第２の作動片の向こう側第１係合部１３６ａ4を含む。
第２係合部１３６ｂは、第２の作動片の向こう側第２係合部１３６ｂ1、第２の作動片の手前側第２係合部１３６ｂ2、第１の作動片の手前側第２係合部１３６ｂ3及び第１の作動片の向こう側第２係合部１３６ｂ4を含む。
【００２９】
前記第１の作動片３０は、第１係合部１３６ａが形成され且つ第２の作動片３２と同じように第２係合部１３６ｂが形成されるとともに、前記第２の作動片３２は、第２係合部１３６ｂが形成され且つ第１の作動片３０と同じように第１係合部１３６ａが形成され、対向する第１の作動片３０及び第２の作動片３２は、第１係合部１３６ａと第２係合部１３６ｂとが係合して、突き合わせ縁３０ａ及び突き合わせ縁３２ａを中心にして第１の作動片３０と第２の作動片３２とが揺動するように形成されている。
このように、前記作動部材１８及び開閉部材４０を保持部材１６の保持空間内において保持され且つ移動できるように、一対の作動片すなわち、第１の作動片３０及び第２の作動片３２の突き合わせ縁、すなわち、突き合わせ縁３０ａ及び突き合わせ縁３２ａに、移動中にも突き合わせ状態を維持するための係合部すなわち、第１係合部１３６ａ及び第２係合部１３６ｂを、開閉部材４０を固定された面側に向けて突出して形成されているので、保持部材１６の高さを低くして低背化を図ることができる。
【００３０】
第１係合部１３６ａは、保持部材１６の被綴じ物載置部２２の内面側に向けて、作動部材１８の厚み分を凹み部（第１の作動片の向こう側凹み部１３０ｄ、第１の作動片の手前側凹み部１３０ｅ、第２の作動片の向こう側凹み部１３２ｄ、第２の作動片の手前側凹み部１３２ｅ、）を突き出された基部と、前記基部の先端より突き出された押さえ部とを備えた平面視略Ｕ字状に形成されている。そして、押さえ部は、一対の作動片たる第１の作動片３０及び第２の作動片３２のうちの片一方の作動片たる第１の作動片３０または第２の作動片３２のはずれ止めの機能を備えている。
最も外側の第１の作動片の向こう側第１係合部１３６ａ1及び第２の作動片の手前側第１係合部１３６ａ3は、第１の作動片３０と第２の作動片３２を逆方向に移動させたときにおいても作動部材１８の端縁より内側に位置する幅を備えている。
最も外側の第１の作動片の向こう側第１係合部１３６ａ1と内側の第２の作動片の向こう側第１係合部１３６ａ4及び最も外側の第２の作動片の手前側第１係合部１３６ａ3と内側の第１の作動片の手前側第１係合部１３６ａ2とは、第１の綴じ環１２及び第２の綴じ環１４の基部が取付けられた部位を挟んで適宜な間隔をおいて形成されている。
【００３１】
そして、前記第１の綴じ環１２および第２の綴じ環１４が閉じるときには、図１０に示すように、作動部材１８を構成する第１の作動片３０及び第２の作動片３２は、その突き合わせ縁３０ａおよび突き合わせ縁３２ａが保持部材１６の内面（被綴じ物載置部２２の内面）より離れた方向に向いて（すなわち水平で略平面あるいは谷折り状の状態）、第１の作動片３０の突き合わせ縁３０ａと第２の作動片３２の突き合わせ縁３２ａとが突き合わされた状態において保持されるとともに、前記第１の綴じ環１２および第２の綴じ環１４を開くときには、図１５に示すように、作動部材１８を構成する第１の作動片３０及び第２の作動片３２は、保持部材１６の内面（被綴じ物載置部２２の内面）に近づいた方向に向いて（すなわち山折り状態）、第２の作動片３２の突き合わせ縁３２ａとが突き合わされた状態に保持されるように保持部材１６内の空間において固定される。
【００３２】
また、作動部材１８を構成する第１の作動片３０及び第２の作動片３２は、保持部材１６の被綴じ物載置部２２の内面に近づいた方向、すなわち山折りの状態においては、第１の作動片３０と第２の作動片３２の長手方向、すなわち第１の作動片３０と第２の作動片３２に固着された第１の綴じ部材１２ａと第３の綴じ部材１４ａとを結ぶ線（Ｘ1（図７図示））および第２の綴じ部材１２ｂと第４の綴じ部材１４ｂとを結ぶ線（Ｘ2（図７図示））と平行な方向に、第１の作動片３０と第２の作動片３２とを移動させることができるように摺動自在に内設されている。
【００３３】
第１の作動片３０及び第２の作動片３２は、第１の作動片の向こう側凹み部１３０ｄ、第１の作動片の手前側凹み部１３０ｅ、第２の作動片の向こう側凹み部１３２ｄ及び第２の作動片の手前側凹み部１３２ｅに、内側の第１の作動片の手前側第１係合部１３６ａ2及び第２の作動片の向こう側第１係合部１３６ａ4の内側近傍において、第１の作動片３０及び第２の作動片３２の長手方向への移動を規制する移動規制部が形成される。
移動規制部は、第１の作動片３０の突き合わせ縁３０ａに形成された規制凹部１３０ｆ及び規制凸起１３０ｇと、第２の作動片３２の突き合わせ縁３２ａに形成された規制凹部１３２ｆ及び規制凸起１３２ｇとから形成される。
規制凹部１３０ｆは、第１の綴じ部材１２ａの内側近傍において、突き合わせ縁３０ａより幅方向において凹んだ平面視コ字型の欠きであり、規制凸起１３２ｇは、前記規制凹部１３０ｆと遊嵌するように形成された平面視コ字型の凸起であり、規制凹部１３０ｆに規制凸起１３２ｇが遊嵌されて、規制凹部１３０ｆ内において第１の作動片３０及び第２の作動片３２がその長手方向に互い違いに移動するように形成されている。
規制凹部１３２ｆは、第４の綴じ部材１４ｂの内側近傍において、突き合わせ縁３２ａより幅方向において凹んだ平面視コ字型の欠きであり、規制凸起１３０ｇは、前記規制凹部１３２ｆと遊嵌するように形成された平面視コ字型の凸起であり、規制凹部１３２ｆに規制凸起１３０ｇが遊嵌されて、規制凹部１３２ｆ内において第１の作動片３０及び第２の作動片３２がその長手方向に互い違いに移動するように形成されている。
【００３４】
第１の作動片３０の突き合わせ縁３０ａ側及び第２の作動片３２の突き合わせ縁３２ａ側において、第１の綴じ環１２と第２の綴じ環１４とを開閉方向に変化させる開閉部材４０が設けられている。
前記開閉部材４０は、前記作動部材１８を構成する一対の作動片すなわち作動片３０と作動片３２との間において、一対の作動片３０と作動片３２をそれぞれ逆方向に移動させるとともに、綴杆すなわち第１の綴じ環１２及び第２の綴じ環１４の開閉状態を保持させるように、第１の作動片３０に間隔をおいて固定された綴杆すなわち第１の綴じ部材１２ａ及び第３の綴じ部材１４ａの基部を結ぶ方向と斜めに交差する方向であり、且つ作動片３２に間隔をおいて固定された綴杆すなわち第２の綴じ部材１２ｂ及び第４の綴じ部材１４ｂの基部を結ぶ方向と斜めに交差する方向に、架け渡されている。
開閉部材４０は、引っ張りコイルバネからなり、巻線部４４と、巻線部４４の両端から巻線部４４を巻き起こしてフックとした固定先端部４２ａ及び固定先端部４２ｂとを備える。開閉部材４０は、図６（Ａ）に示すように、巻線部４４の円周方向に規制腕部４６ａと規制腕部４６ｂとが平行に突き出されている。
【００３５】
前記開閉部材４０は、第１の綴じ環１２と第２の綴じ環１４とが閉じた状態において、無負荷時には密着していた巻線部４４がのびるように引っ張られた引っ張り荷重を受けた状態で、荷重を受ける固定先端部４２ａが第１の作動片３０に、固定先端部４２ｂが第２の作動片３２に固定されている。
更に、第１の綴じ環１２と第２の綴じ環１４とが閉じた状態において、開いた状態から閉じた状態への方向に向けて第１の作動片３０と第２の作動片３２とを突き合わせ縁３０ａ及び突き合わせ縁３２ａを中心に回動させる方向に、巻線部４４（コイル）の中心軸まわりにねじりモーメントを受け、ばねに荷重が加わり、素線に曲げ応力を発生させて、固定先端部４２ａが第１の作動片３０に、固定先端部４２ｂが第２の作動片３２に固定されている。
この場合、開閉部材４０は、巻線部４４にねじりモーメントなどの負荷が加わっていない状態（図６（Ａ）図示）からみて、巻線部４４の巻き数が１巻以上増えるように巻線部４４を１回転以上ねじった状態（固定先端部４２ａ及び規制腕部４６ａがＲ方向、固定先端部４２ｂ及び規制腕部４６ｂがＱ方向（図５及び図６（Ａ）図示））で、固定先端部４２ａ及び４２ｂが開閉部材固定部３８ａ及び開閉部材固定部３８ｂにそれぞれ固定される。
ばねに荷重を加える荷重の方向としては、巻線部４４（コイル）を巻き込む方向に向くように構成されている。
【００３６】
規制腕部４６ａ及び規制腕部４６ｂは、固定先端部４２ａ及び固定先端部４２ｂの第１の作動片３０及び第２の作動片３２に固定される側から巻線部４４の中心軸と直交する方向にのび、一方の規制腕部４６ａと他方の規制腕部４６ｂとは、ねじりモーメントが発生しない元の状態は、図５及び図６（Ａ）に示すように、巻線部４４の円周方向に略平行に突き出され、互いに反対向きにのびる。
一方の規制腕部４６ａは、固定先端部４２ａが第１の作動片３０の開閉部材固定部３８ａに固定されたとき、第１の作動片３０の裏面にその先端が突き当たり、他方の規制腕部４６ｂは、固定先端部４２ｂが第２の作動片３２の開閉部材固定部３８ｂに固定されたとき、第２の作動片３２の裏面（下面）にその先端が突き当たり、丸フックの固定先端部４２ａ及び固定先端部４２ｂが大きく傾くことなく、常に正規の状態にて開閉部材固定部３８ａ及び開閉部材固定部３８ｂに固定されるように構成されている。
ねじりモーメントが発生しない元の状態においては、一方の規制腕部４６ａともう一方の規制腕部４６ｂとは平行になるように形成されている。
【００３７】
開閉部材４０は、その固定先端部４２ａの一端が一方の作動片、すなわち第１の作動片３０の裏面（下面）に形成された開閉部材固定部３８ａに係止固定され、開閉部材４０の固定先端部４２ｂ一端が、他方の作動片、すなわち第２の作動片３２の裏面（下面）に形成された開閉部材固定部３８ｂに係止固定されている。
開閉部材固定部３８ａは、開閉部材収容部３６の凹み３６ａの裏面（下面）であって、第１の作動片３０の長手方向の中心Ｃ（図７及び図９図示）より第１の綴じ環１２及び第２の綴じ環１４を開くときに第１の作動片３０の移動する方向側にずれた位置に形成され、開閉部材固定部３８ｂは、開閉部材収容部３６の凹み３６ｂの裏面（下面）であって、第２の作動片３２の長手方向の中心Ｃ（図７及び図９図示）より第１の綴じ杆１２及び第２の綴じ杆１４を開くときに第２の作動片３２の移動する方向側にずれた位置に形成されている。
【００３８】
開閉部材固定部３８ａは、第１の作動片３０の裏面に続く係止基部３８ａ1と、係止基部３８ａ1の先端（下端）に開閉部材４０とは反対側に向けてのびる係止外れ止め部３８ａ2が突設された、側面Ｌ字形である。
開閉部材固定部３８ｂは、第２の作動片３２の裏面に続く係止基部３８ｂ1と、係止基部３８ｂ1の先端（下端）に開閉部材４０とは反対側に向けてのびる係止外れ止め部３８ｂ2が突設された、側面Ｌ字形である。
開閉部材固定部３８ａと開閉部材固定部３８ｂとは、第１の作動片３０及び第２の作動片３２の長手方向の中心Ｃを中心として、点対称に形成されている。
【００３９】
開閉部材４０は、第１の作動片３０と第２の作動片３２との突き合わせ縁３０ａおよび突き合わせ縁３２ａが、谷折り状態（図１０図示）、すなわち保持部材１６の被綴じ物載置部２２の内面より離れた状態に保持された状態にあるときに、伸展した状態となるように、第１の作動片３０と第２の作動片３２との間において斜めに架け渡され、この状態において、元の状態に戻ろうとする力が働くように構成されている。
開閉部材４０は、第１の作動片３０および第２の作動片３２のそれぞれの長手方向、すなわち第１の作動片３０の第１の綴じ部材１２ａを固定する部位と第３の綴じ部材１４ａを固定する部位とを結ぶ線（前後軸Ｘ1（図７図示））および第２の作動片３２の第２の綴じ部材１２ｂを固定する部位と第４の綴じ部材１４ｂを固定する部位とを結ぶ線（前後軸Ｘ2（図７図示））と斜めに交差する方向に架け渡されている。
【００４０】
第１の作動片３０の開閉部材固定部３８ａと第２の作動片３２の開閉部材固定部３８ｂとは、突き合わせ縁３０ａ及び突き合わせ縁３２ａの長手方向における中央Ｃ（図７及び図９図示）を回転軸として点対称となるように形成され、開閉部材４０が突き合わせ縁３０ａ及び突き合わせ縁３２ａの長手方向における中央Ｃ（図７及び図９図示）より均一な長さによって固定先端部４２ａが開閉部材固定部３８ａに、固定先端部４２ｂが開閉部材固定部３８ｂに係止されて、均一な力が第１の作動片３０及び第２の作動片３２にかかるように構成されている。
第１の作動片３０の突き合わせ縁３０ａ及び第２の作動片３２の突き合わせ縁３２ａにおいて突き合わされた第１の作動片３０と第２の作動片３２との間における距離を、一定に保ち、第１の作動片３０と第２の作動片３２とを引き寄せてそれぞれの位置関係を最適な状態に保つ。
したがって、綴杆を構成する第１の綴じ環１２及び第２の綴じ環１４の開閉時において、第１の作動片３０及び第２の作動片３２が突き合わせ縁３０ａ及び突き合わせ縁３２ａを枢軸として揺動するときにおいて、第１の作動片３０の幅と第２の作動片３２の幅との和が最大になったとき、すなわち、第１の作動片３０と第２の作動片３２とが平面状態になったときにおいても、第１の作動片３０の最も外側の縁（外側端縁３０ｂ）と保持部材１６の第１の保持壁２４ａとの間及び第２の作動片３２の最も外側の縁（外側端縁３２ｂ）と保持部材１６の第２の保持壁２４ｂとの間に適宜な間隙が生じ、保持部材１６の保持空間内において作動部材１８の第１の作動片３０及び第２の作動片３２が円滑に移動できる。
【００４１】
開閉部材固定部３８ａ及び開閉部材固定部３８ｂは、図７に示すように、突き合わせ縁３０ａ及び突き合わせ縁３２ａの長手方向における中央Ｃ（図７Ｄ図示）と開閉部材固定部３８ａ及び開閉部材固定部３８ｂとを結ぶ線Ｘ３（図７Ｄ図示）に沿って、開閉部材４０が突き合わせ縁３０ａ及び突き合わせ縁３２ａと斜めに交差して架け渡されるように形成されている。
すなわち、開閉部材４０の開閉部材固定部３８ａは、突き合わせ縁３０ａの長手方向における中央Ｃ（図７Ｄ図示）と開閉部材固定部３８ａを結ぶ線Ｘ３（図７Ｄ図示）に沿って、開閉部材４０が架け渡されるように形成されている。
開閉部材４０の開閉部材固定部３８ｂは、突き合わせ縁３２ａの長手方向における中央Ｃ（図７Ｄ図示）と開閉部材固定部３８ｂとを結ぶ線Ｘ３（図７Ｄ図示）に沿って、開閉部材４０が架け渡されるように形成されている。
開閉部材固定部３８ａの係止基部３８ａ1及び開閉部材固定部３８ｂの係止基部３８ｂ1が前記線Ｘ３に直交し、開閉部材固定部３８ａの係止基部３８ａ1及び開閉部材固定部３８ｂの係止基部３８ｂ1の先端（下端）に、それぞれ開閉部材４０とは反対側に向けて前記線Ｘ３（図７Ｄ図示）に沿ってのびる係止外れ止め部３８ａ2（開閉部材固定部３８ａの）及び係止外れ止め部３８ｂ2（開閉部材固定部３８ｂの）が形成された、側面略Ｌ字型に形成されている。開閉部材固定部３８ａと開閉部材固定部３８ｂとは、突き合わせ縁３０ａ及び突き合わせ縁３２ａの長手方向における中央Ｃ（図７Ｄ図示）を中心とした点対称形に形成されている。
【００４２】
そして、１対の前記第１の作動片３０及び第２の作動片３２は、前記保持部材１６の長手方向において互いに逆方向に移動させることにより、前記綴じ部材の組み合わせによる前記第１の綴じ環１２及び第２の綴じ環１４が分離され、前記第１の綴じ環１２及び第２の綴じ環１４が分離されたときに、前記開閉部材４０は、前記第１の作動片３０と第２の作動片３２とを付勢して、前記第１の綴じ部材１２ａと第２の綴じ部材１２ｂ及び第３の綴じ部材１４ａと第４の綴じ部材１４ｂとを開放させる。
【００４３】
そして、開閉部材４０の弾性により、作動部材１８を構成する第１の作動片３０及び第２の作動片３２は、第１の綴じ環１２と第２の綴じ環１４を手で開き始めたとき、すなわち、第１の綴じ環１２と第２の綴じ環１４のそれぞれの綴杆係止部５０を外したとき、伸びていた開閉部材４０の巻線部４４を更に伸ばす方向に作用させ、第１の綴じ環１２の第１の綴じ部材１２ａと第２の綴じ部材１２ｂとが離れる方向（第１の綴じ部材１２ａはＯ1方向で、第２の綴じ部材１２ｂはＯ2方向（図７図示））および第２の綴じ環１４の第３の綴じ部材１４ａと第４の綴じ部材１４ｂとが離れる方向（第３の綴じ部材１４ａはＯ1方向で、第４の綴じ部材１４ｂはＯ2方向（図７図示））に移動し、第１の作動片３０と第２の作動片３２とをそれぞれ逆方向（第１の作動片３０はＯ1方向で、第２の作動片３２はＯ2方向（図７図示））に移動させるように作用する（図１１参照）。
【００４４】
さらに、開閉部材４０は、第１の綴じ部材１２ａと第２の綴じ部材１２ｂとをおよび第３の綴じ部材１４ａと第４の綴じ部材１４ｂとを円周方向（図７図示の左右軸Ｙ1および左右軸Ｙ2方向）に引き離すように作用する。ねじられていた開閉部材４０は、図６（Ｂ）（Ｃ）の矢印方向に示すように元の状態に戻ろうとして、第１の綴じ部材１２ａと第２の綴じ部材１２ｂとをおよび第３の綴じ部材１４ａと第４の綴じ部材１４ｂとを第１の綴じ環１２及び第２の綴じ環１４の円周方向（第１の綴じ部材１２ａおよび第３の綴じ部材１４ａはＯ3方向、第２の綴じ部材１２ｂおよび第４の綴じ部材１４ｂはＯ4方向（図７図示））に引き離すように作用する（図１４参照）。
【００４５】
そして、開閉部材４０は、開閉部材４０の弾性により伸びていた巻線部４４が縮む方向に作用して、作動部材１８を構成する第１の作動片３０は、綴杆係止部５０を閉じる位置の方向（Ｏ1とは反対の方向（図７図示））に移動し、且つ、第２の作動片３２は、綴杆係止部５０を閉じる位置の方向（Ｏ2とは反対の方向（図７図示））に移動する。（図１４参照）。
すなわち、第１の作動片３０及び第２の作動片３２は、略平面あるいは谷折り状から山折り状態に変わる。第１の綴じ環１２及び第２の綴じ環１４は、開く方向（第１の綴じ部材１２ａ及び第３の綴じ部材１４ａはＯ3方向、第２の綴じ部材１２ｂ及び第４の綴じ部材１４ｂはＯ4方向）に回転して開く。
開閉部材４０は、第１の綴じ環１２と第２の綴じ環１４とを開いた状態にしたとき、第１の作動片３０の突き合わせ縁３０ａと第２の作動片３２の突き合わせ縁３２ａとが山折り状態、すなわち、保持部材１６の被綴じ物載置部２２の内側面に近づいた状態に保持するように作用する。
【００４６】
保持部材１６の被綴じ物載置部２２には、被綴じ物載置部２２の長手方向に延びる膨出部２２ａが形成され、膨出部２２ａは、その内側に窪み部が形成され、作動部材１８の係合部３０ｄ及び３２ｅが上側に向いて回転し且つ係合部３０ｅ及び３２ｄが上側に向いて回転するとともに、開閉部材４０が上側に向いて移動したときに、被綴じ物載置部２２の内面と当接しないようにするために、被綴じ物載置部２２の長手方向に延びて形成されている。
そして、前記保持部材１６は、作動部材１８に間隔をおいて設けられた第１の綴じ環１２及び第２の綴じ環１４の基部を結ぶ方向に近い方向にのびる保持壁２４及び被綴じ物載置部２２を有し、前記保持部材１６の保持壁２４及び被綴じ物載置部２２により、作動部材１８を保持部材１６の内側に保持するための保持部が形成され、前記作動部材１６及び開閉部材４０は、前記第１の綴じ環１２及び第２の綴じ環１４を開閉するとき、前記保持空間内において移動するように構成されている。
【００４７】
前記保持部材１６は、前記したように、作動部材１８に間隔をおいて設けられた第１の綴じ環１２と第２の綴じ環１４との基部を結ぶ方向（図７図示Ｘ1及びＸ2方向）に近い方向にのびる、第１の保持壁２４ａと第２の保持壁２４ｂとからなる保持壁２４を有し、前記保持壁２４は、作動部材１８に間隔をおいて設けられた第１の綴じ環１２と第２の綴じ環１４の基部を結ぶ方向（図７図示Ｘ1及びＸ2方向）と交差する方向にのびて、保持壁２４の外側に向いて突出する第１の作動片３０の突出部３０ｃ1と突出部３０ｃ2及び第２の作動片３２の突出部３２ｃ1と突出部３２ｃ2を保持する保持部、すなわち第１の保持壁２４ａに形成された第１の保持部６０及び第１の保持部６２と、第２の保持壁２４ｂに形成された第２の保持部６４及び第２の保持部６６とを有している。
該第１の保持部６０及び第１の保持部６２は、前記保持壁２４の一部を作動部材１８の突出部３０ｃ1と突出部３０ｃ2より外側に打ち出された第１の保持部６０及び第１の保持部６２が、保持部材１６の内側に嵌装された作動部材１８の突出部３０ｃ1と突出部３０ｃ2を保持するように、保持壁２４（第１の保持壁２４ａ）の内側に向けて凹まされてなる。
また、第２の保持部６４及び第２の保持部６６は、前記保持壁２４の一部を作動部材１８の突出部３２ｃ1と突出部３２ｃ2より外側に打ち出された第２の保持部６４及び第２の保持部６６が、保持部材１６の内側に嵌装された作動部材１８の突出部３２ｃ1と突出部３２ｃ2を保持するように、保持壁２４（第２の保持壁２４ｂ）の内側に向けて凹まされてなる。
【００４８】
前記第１の保持部６０及び第１の保持部６２と第２の保持部６４及び第２の保持部６６は、前記作動部材１８の第１の作動片３０及び第２の作動片３２の下面に沿って、前記保持壁２４の下縁との間に間隔をおいて細い切り込み６８ａと切り込み７０ａ及び切り込み７２ａと切り込み７４ａが形成され、該切り込み６８ａと切り込み７０ａ及び切り込み７２ａと切り込み７４ａと保持壁２４の下縁との間における保持壁２４の外方に向けて打ち出された領域により、第１の保持部６０及び第１の保持部６２と第２の保持部６４及び第２の保持部６６が形成されている（図１８（Ａ）（Ｂ）参照）。
そして、第１の保持部６０及び第１の保持部６２と第２の保持部６４及び第２の保持部６６を構成する該領域が、保持部材１６の内側に嵌装された作動部材１８の突出部３０ｃ1と突出部３０ｃ2及び突出部３２ｃ1と突出部３２ｃ2の下面を保持するように内側に向けて打ち出され、保持壁２４の該切り込み６８ａと切り込み７０ａ及び切り込み７２ａと切り込み７４ａと保持壁２４の下縁との間の領域以外の領域より内側に向けて凹まされて、第１の保持部６０及び第１の保持部６２と第２の保持部６４及び第２の保持部６６が形成されている（図１９（Ａ）（Ｂ）参照）。
【００４９】
第１の綴じ環１２は、閉じたとき略Ｄの字状の綴じ環となるように、略直線状の第１の綴じ部材１２ａと略半円形状の第２の綴じ部材１２ｂとから構成され、第２の綴じ環１４は、閉じたときに略Ｄの字状の綴じ環となるように、略直線状の第３の綴じ部材１４ａと略半円形状の第４の綴じ部材１４ｂとから構成されている。第１の綴じ部材１２ａ及び第３の綴じ部材１４ａは、直線状であり、第２の綴じ部材１２ｂ及び第４の綴じ部材１４ｂは、半円形状である。
そして、第１の綴じ部材１２ａと第２の綴じ部材１２ｂとは、その先端において係合されて閉じられたとき、正面視略Ｄの字状の環状になるように構成され、また、第３の綴じ部材１４ａと第４の綴じ部材１４ｂとは、その先端において係合されて閉じられたとき、正面視略Ｄの字状の環状になるように構成される。
第１の綴じ部材１２ａ及び第３の綴じ部材１４ａは、閉じたときに傾斜した円柱状であり、第１の保持壁２４ａ及び第２の保持壁２４ｂの下端縁とは斜交する方向に向かうように構成され、そして、開いたときに、直円柱状であり、第１の保持壁２４ａ及び第２の保持壁２４ｂの下端縁とは直交する方向に向かうように構成されている。
【００５０】
この綴具１０は、表表紙１１１２と、裏表紙１１１４と、前記表表紙１１１２と裏表紙１１１４との間に形成された背表紙１１１６とを有する表紙１１１０における、前記裏表紙１１１４に固定され、前記一方の綴じ部材１２ｂ，１４ｂと他方の綴じ部材１２ａ，１４ａが前記作動片３０，３２の移動に伴って開かれたときに、他方の綴じ部材１２ａ，１４ａは、背表紙１１１６に直交するように、作動片３０に固定されている。
そして、用紙等の被綴じ物Ｓに予め穿設された綴じ孔に挿通して、用紙等の被綴じ物Ｓを綴じることができるように、第１の綴じ部材１２ａおよび第２の綴じ部材１２ｂの先端と、第３の綴じ部材１４ａ及び第４の綴じ部材１４ｂの先端、すなわち第１の綴じ環１２および第２の綴じ環１４の頂部において、綴杆係止部５０が形成されている。そして、第１の綴じ環１２および第２の綴じ環１４が開かれたとき、第１の綴じ部材１２ａと第２の綴じ部材１２ｂとは、その先端が離れ間隔があくが、第１の綴じ部材１２ａは、垂直状になり、また、第３の綴じ部材１４ａと第４の綴じ部材１４ｂとは、その先端が離れ間隔があくが、第３の綴じ部材１４ａは垂直状になる。
而して、第１の綴じ部材１２ａ及び第３の綴じ部材１４ａを、用紙等の被綴じ物Ｓに予め穿設された綴じ孔に挿通して用紙等の被綴じ物Ｓを綴じるとき、被綴じ物Ｓの綴じ孔を第１の綴じ部材１２ａ及び第３の綴じ部材１４ａに挿し通し易い。
そして、第１の綴じ部材１２ａ及び第３の綴じ部材１４ａと一定の間隔をおいて開かれた第２の綴じ部材１２ｂと及び第４の綴じ部材１４ｂの先端をガイドとして、被綴じ物Ｓの端縁を滑らせながら、第１の綴じ部材１２ａ及び第３の綴じ部材１４ａに被綴じ物Ｓの綴じ孔を挿通することができる。
【００５１】
前記綴杆を構成する第１の綴じ環１２及び第２の綴じ環１４は、断面円形状金属製線材を、綴杆係止部５０を外す方向（図７のＯ1及びＯ2の方向）にのばし、且つ中央部分を押さえることによって綴杆を閉じる方向に対してわん曲させて形成されている。そして、第１の綴じ環１２及び第２の綴じ環１４は、中央が綴杆を開く方向（第１の綴じ部材１２ａ及び第３の綴じ部材１４ａは、図７のＯ3方向、第２の綴じ部材１２ｂ及び第４の綴じ部材１４ｂは、図７のＯ4方向）に膨み且つ両端が綴杆を閉じる方向にわん曲した断面略空豆（ビーンズ）型の形状に形成されている。
すなわち、環状の第１の綴じ環１２及び第２の綴じ環１４を開閉方向に見て、第１の綴じ環１２及び第２の綴じ環１４の内側は波状起伏面が形成され、第１の綴じ環１２及び第２の綴じ環１４の外側は半円弧状に形成されている。そして、第１の綴じ環１２及び第２の綴じ環１４は、綴杆を外す方向に見て、両外側が、半円弧状に形成されている。
従来の断面形状丸型の綴杆は、小径だと変形に弱く、大径にすれば断面積が増して材料費がかさみ、従来の断面形状略長方形の綴杆は、用紙にあける綴じ穴には丸穴が多いので、用紙等の被綴じ物Ｓの綴じ穴に対応しにくく、用紙等の被綴じ物Ｓの綴じ穴を傷つけるおそれがある。
ところが、綴杆を構成する第１の綴じ環１２及び第２の綴じ環１４は、細いならば綴杆係止部５０の嵌合がうまくゆかないときがある。
そのために、第１の綴じ環１２及び第２の綴じ環１４の幅を広げたいが、元の線材として断面積の小さいものを使用しても、元の金属製線材を加工することにより綴杆としては必要な幅が確保されるようにしたい。
そこで、本願発明にかかる綴杆は、それを形成する線材の中央部分を押さえて線材を空豆（ビーンズ）型につぶすことにより全体としての幅を広げ、すなわち、綴杆の全体の幅を綴杆係止部５０を外す方向に広げて、綴杆係止部５０の嵌合を完全にできるように形成している。
【００５２】
この実施の形態においては、第１の綴じ環１２を構成する第２の綴じ部材１２ｂと第２の綴じ環１４を構成する第４の綴じ部材１４ｂとは、同じ形状、すなわち曲率（曲率半径）が同じものである。
第１の綴じ環１２を構成する第１の綴じ部材１２ａ及び第２の綴じ部材１２ｂは、第１の綴じ部材１２ａの自由端の綴杆係止部５０と、第２の綴じ部材１２ｂの自由端の綴杆係止部５０とを係止することにより、環状に連結される。
また、第２の綴じ環１４を構成する第３の綴じ部材１４ａと第４の綴じ部材１４ｂとは、第３の綴じ部材１４ａの自由端の綴杆係止部５０と、第４の綴じ部材１４ｂの自由端の綴杆係止部５０とを係止することにより、環状に連結される。
【００５３】
第１の綴じ環１２及び第２の綴じ環１４は、それぞれの基部が第１の作動片３０及び第２の作動片３２に固着された部分（４箇所）を通る左右軸Ｙ1，Ｙ2および前後軸Ｘ1，Ｘ2（図７図示）を含む平面Ｐxyと垂直な平面を構成するように、第１の作動片３０と第２の作動片３２より立設されている。そして、第１の綴じ環１２の軸Ｚ1（図７図示）が構成する環面と第２の綴じ環１４の軸Ｚ2（図７図示）が構成する環面とは、平行で、且つ、第１の綴じ環１２と第２の綴じ環１４が第１の作動片３０と第２の作動片３２と固着された部位を通る平面Ｐxyと垂直となるように構成されている。
【００５４】
前記綴杆は、第１６図〜第１７図に示すように、直接指で閉じられる主綴杆たる第１の綴じ環１２と、該第１の綴じ環１２の閉じる方向に向けての作動に追動する副綴杆たる第２の綴じ環１４とにより構成されている。
そして、第１の綴じ環１２と第２の綴じ環１４とは、同一方向（図１１のＯ1及びＯ2方向）に向けて、その綴杆係止部５０を指で外すことができるように構成されている。
第１の綴じ環１２を構成する第１の綴じ部材１２ａの先端に形成された綴杆係止部５０を構成する先端の凹部５２ａと、第２の綴じ部材１２ｂの綴杆係止部５０を構成する先端の凸部５２ｂとは、第１の綴じ環１２を閉じたとき係合するように逆方向に向けて突き出しあるいは凹み形成されている。
第２の綴じ環１４を構成する第３の綴じ部材１４ａの先端に形成された綴杆係止部５０を構成する先端の凹部５４ａと、第４の綴じ部材１４ｂの綴杆係止部５０を構成する先端の凸部５４ｂとは、第２の綴じ環１４を閉じたとき係合するように逆方向に向けて突き出しあるいは凹み形成されている。
第１の綴じ部材１２ａの凹部５２ａは、第１の綴じ部材１２ａののびる方向とは交差する方向であって、第１の作動片３０の移動する方向０１方向にのびるように穿設されている。
第２の綴じ部材１２ｂの凸部５２ｂは、第２の綴じ部材１２ｂののびる方向とは交差する方向であって、第２の作動片３２の移動する方向０２方向にのびるように穿設されている。
同様に、第３の綴じ部材１４ａの凹部５４ａは、第３の綴じ部材１４ａののびる方向とは交差する方向であって第１の作動片３０の移動する方向０１方向にのびるように穿設されている。
第４の綴じ部材１４ｂの凸部５４ｂは、第４の綴じ部材１４ｂののびる方向とは交差する方向であって、第２の作動片３２の移動する方向０２方向にのびるように穿設されている。
【００５５】
第２の綴じ部材１２ｂの綴杆係止部５０を構成する凸部５２ｂ及び第４の綴じ部材１４ｂの綴杆係止部５０を構成する凸部５４ｂは、同一方向に向けて突き出し設けられ、両方が同一形状に形成されている。
また、第１の綴じ部材１２ａの綴杆係止部５０を構成する凹部５２ａ及び第３の綴じ部材１４ａの綴杆係止部５０を構成する凹部５４ａは、同一方向に向けて凹み形成され、両方が同一形状に形成されている。
【００５６】
また、第１の綴じ環１２の頂部を指でねじることにより第１の綴じ環１２の綴杆係止部５０を外したとき、第１の作動片３０と第２の作動片３２には、ねじられていた開閉部材４０が元の状態に戻ろうとする力、すなわち一方の固定先端部４２ａと他方の固定先端部４２ｂとが、図６（Ｂ）（Ｃ）矢印方向に示すように、巻線部４４の円周方向に回転して元の状態に戻ろうとするように力が働くことにより、第１の綴じ環１２は開く。
そして、第１の綴じ環１２及び第２の綴じ環１４は、その綴杆係止部５０が外され（図１１参照）、第１の作動片３０及び第２の作動片３２は、略平面あるいは谷折り状から山折り状態に変わるとともに、綴杆係止部５０の外れる方向（第１の作動片３０はＯ1方向、第２の作動片３２はＯ2方向）に移動する（図１４（Ａ）参照）。それによって、移動規制部を構成する第１の作動片３０の規制凸起１３０ｇが第２の作動片３２の規制凹部１３２ｆ内を移動して、規制凹部１３２ｆにおける綴杆係止部５０の外れる方向とは反対側の端縁に突き当たり、且つ移動規制部を構成する第２の作動片３２の規制凸起１３２ｇが第１の作動片３０の規制凹部１３０ｆ内を移動して、規制凹部１３０ｆにおける綴杆係止部５０方向とは反対側の端縁に突き当たる（図１４参照）。
第１の綴じ環１２から手を離すと、第１の綴じ環１２及び第２の綴じ環１４は、開閉部材４０の一方の固定先端部４２ａと他方の固定先端部４２ｂとが、図６（Ｂ）（Ｃ）矢印方向に示すように、巻線部４４の円周方向に回転して元の状態に戻ろうとするように第１の作動片３０及び第２の作動片３２に力を働かせることにより、更に開き（第１の綴じ部材１２ａ及び第３の綴じ部材１４ａはＯ3方向、第２の綴じ部材１２ｂ及び第４の綴じ部材１４ｂはＯ4方向）、且つ、開閉部材４０の巻線部４４が縮むことにより開閉部材４０の固定先端部４２ａと他方の固定先端部４２ｂとを平面視反対方向に移動するように力が働くことにより、第１の作動片３０と第２の作動片３２とは、逆方向に移動する（図１４参照）。
すなわち、作動部材１８及び開閉部材４０は、第２の綴じ環１４を構成する第３の綴じ部材１４ａの凹
部５４ａと第４の綴じ部材１４ｂの凸部５４ｂとを開く方向に作用し、そして、第１の綴じ環１２の第１の綴じ部材１２ａの凹部５２ａと第２の綴じ部材１２ｂの凸部５２ｂとを引き離す方向に作用するとともに、第２の綴じ環１４を構成する第３の綴じ部材１４ａの凹部５４ａと第４の綴じ部材１４ｂの凸部５４ｂとを引き離すように作用する。
【００５７】
このように、この実施の形態においては、第１の綴じ環１２又は第２の綴じ環１４の頂部を指でねじることにより、第１の綴じ環１２の第１の綴じ部材１２ａおよび第２の綴じ部材１２ｂの綴杆係止部５０と、第２の綴じ環１４の第３の綴じ部材１４ａおよび第４の綴じ部材１４ｂの綴杆係止部５０を外すことができる。
【００５８】
また、第１の綴じ環１２の第１の綴じ部材１２ａと第２の綴じ部材１２ｂの綴杆係止部５０および第２の綴じ環１４の第３の綴じ部材１４ａと第４の綴じ部材１４ｂの綴杆係止部５０の係合を解除したとき、作動部材１８は、開閉部材４０の一方の固定先端部４２ａと他方の固定先端部４２ｂとが巻線部４４の円周方向において近づこうとする力が働くことにより、第１の作動片３０の突き合わせ縁３０ａと第２の作動片３２の突き合わせ縁３２ａとが、山折り状態になる。
【００５９】
次に、作動部材１８を保持部材１６の保持空間内に装填する方法について、主として図２２及び図２３に基づいて説明する。
保持部材１６は、第１の作動片３０と第２の作動片３２を装填する前には、第１の保持壁２４ａの第１の保持部６０及び第１の保持部６２と第２の保持壁２４ｂの第２の保持部６４及び第２の保持部６６とが、第１の保持壁２４ａ及び第２の保持壁２４ｂの他の領域より外側に向けて膨出している（図２２（Ｂ）参照）。
すなわち、第１の保持壁２４ａは、第１の貫通孔２６の近傍において第１の保持部６０及び第１の保持部６２を形成するための第１の保持壁２４ａの下縁との間に間隔をおいて細い切り込み６８ａ及び切り込み７０ａが形成され、該切り込み６８ａ及び切り込み７０ａと第１の保持壁２４ａの下縁との間における領域が第１の保持壁２４ａより外側に向けて打ち出されて、第１の保持部６０及び第１の保持部６２が形成される（図２２（Ｂ）参照）。
また、第２の保持壁２４ｂは、第２の貫通孔２８の近傍において第２の保持部６４及び第２の保持部６６を形成するための第２の保持壁２４ｂの下縁との間に間隔をおいて細い切り込み７２ａ及び切り込み７４ａが形成され、該切り込み７２ａ及び切り込み７４ａと第２の保持壁２４ｂの下縁との間における領域が第２の保持壁２４ｂより外側に向けて打ち出されて、第２の保持部６４及び第２の保持部６６が形成される（図２２（Ａ）参照）。
作動部材１８を保持部材１６の保持空間内に装填するときは、まず、第１の作動片３０を保持部材１６内に装填し、次に、第２の作動片３２を保持部材１６内に装填する（図２３（Ａ）参照）。
このとき、第１の作動片３０の突出部３０ｃ1が第１の保持部６０の内側に、第１の作動片３０の突出部３０ｃ2が第１の保持部６２の内側に位置し、第２の作動片３２の突出部３２ｃ1が第２の保持部６４の内側に、第２の作動片３２の突出部３２ｃ2が第２の保持部６６の内側に位置する。
次に、第１の保持部６０、第１の保持部６２、第２の保持部６４及び第２の保持部６６を、第１の保持壁２４ａ及び第２の保持壁２４ｂの内側に向けて打ち込み、平面円弧状の第１の保持部６０、第１の保持部６２、第２の保持部６４及び第２の保持部６６を形成する（図２３（Ｂ）参照）。
而して、第１の保持部６０が突出部３０ｃ1の下面を、第１の保持部６２が突出部３０ｃ2の下面を、第２の保持部６４が突出部３２ｃ1の下面を、第２の保持部６６が突出部３２ｃ2の下面をそれぞれ保持するように形成される。そして、突出部３０ｃ1は第１の貫通孔２６より外側に、突出部３０ｃ2は第２の貫通孔２８より外側に、突出部３２ｃ1は第１の貫通孔２６より外側に、突出部３２ｃ2は第２の貫通孔２８より外側に突き出る。
【００６０】
次に、開閉部材４０を作動部材１８に装填する方法について、図２２ないし２４に基づいて説明する。
第１の綴じ環１２と第２の綴じ環１４とが閉じた状態において、開いた状態から閉じた状態への方向に向けて第１の作動片３０と第２の作動片３２とを突き合わせ縁３０ａ及び突き合わせ縁３２ａを中心に回動させる方向にばねに荷重を加えて、巻線部４４（コイル）の中心軸まわりにねじりモーメントを受け、素線に曲げ応力を発生させるようにして、開閉部材４０を固定先端部４２ａが第１の作動片３０に、固定先端部４２ｂが第２の作動片３２に固定する。
この場合、開閉部材４０は、巻線部４４にねじりモーメントなどの負荷が加わっていない状態（図６（Ａ）図示）からみて、巻線部４４の巻き数が１巻以上増えるように巻線部４４を１回転以上ねじった状態（固定先端部４２ａ及び規制腕部４６ａがＲ方向、固定先端部４２ｂ及び規制腕部４６ｂがＱ方向（図５及び図６（Ａ）図示））で、固定先端部４２ａ及び４２ｂが開閉部材固定部３８ａ及び開閉部材固定部３８ｂにそれぞれ固定する。
ばねに荷重を加える荷重の方向としては、巻線部４４（コイル）を巻き込む方向に向くように構成されている。
【００６１】
前記実施の形態によれば、一対の作動片（第１の作動片３０及び第２の作動片３２）には、保持部材１６に形成された貫通孔（第１の貫通孔２６及び第２の貫通孔２８）に通される突出部（突出部３０ｃ1、突出部３０ｃ2、突出部３２ｃ1、及び突出部３２ｃ2）が形成されているので、作動片（第１の作動片３０及び第２の作動片３２）に綴杆（第１の綴じ環１２、第２の綴じ環１４）の基部を例えばカシメ止めをしても作動片（第１の作動片３０及び第２の作動片３２）にかかるストレスを少なくするために面積を大きくすることができる。そのために、作動片（第１の作動片３０及び第２の作動片３２）全体の強度を増すことができる。
【００６２】
前記実施の形態の保持部とは異なり、図２４及び図２５において示すように、保持壁の下端縁より突き出し設けられた方形凸部を内側に向けて折り曲げて、第１の保持壁２４ａに第１の保持部１６０及び第１の保持部１６２が、第２の保持壁２４ｂに第２の保持部１６４及び第２の保持部１６６が形成され、作動部材１８の第１の作動片３０及び第２の作動片３２に形成された（第１の綴じ環１２及び第２の綴じ環１４が突出する方向とは反対側に向けて突設されている）突条２３０ｈ及び突条２３２ｈの下端縁を、第１の保持壁２４ａの第１の保持部１６０及び第１の保持部１６２、第２の保持壁２４ｂの第２の保持部１６４及び第２の保持部１６６により保持するように構成してもよい。
第１の作動片３０及び第２の作動片３２は、その長さ方向に、第１の保持壁２４ａの第１の保持部１６０と第１の保持部１６２及び第２の保持壁２４ｂの第２の保持部１６４と第２の保持部１６６の上面を摺動して移動することができる。
【００６３】
前記実施の形態とは異なり、作動部材を、図２６及び図２７に示すように変更してもよい。
図２６及び図２７図示第１の作動片３０は、突き合わせ縁３０ａとは離れた位置で、間隔をおいて設けられた第１の綴じ環１２の基部と第２の綴じ環１４の基部とを結ぶ方向（図２６図示Ｘ1及びＸ2方向）に近い方向にのびる突条２３０ｈが形成されている。この実施の形態においては、第１の綴じ環１２の基部と第２の綴じ環１４の基部とを結ぶ方向と平行で第１の作動片３０の長さ方向にのびる。
前記突条２３０ｈは、間隔をおいて設けられた第１の綴じ環１２の基部と第２の綴じ環１４の基部の間で外側端縁３０ｂの突出部３０ｃ1と突出部３０ｃ2との間において、連続して、第１の綴じ環１２及び第２の綴じ環１４が突出する方向とは反対側に向けて突設されている。
前記突条２３０ｈは、第１の作動片３０を構成する平板状の金属製板体を断面Ｌ字形に折り曲げて形成されている。
また、図２６及び図２７図示第２の作動片３２は、突き合わせ縁３２ａとは離れた位置で、間隔をおいて設けられた第１の綴じ環１２の基部と第２の綴じ環１４の基部とを結ぶ方向（図２６図示Ｘ1及びＸ2方向）に近い方向にのびる突条２３２ｈが形成されている。この実施の形態においては、第１の綴じ環１２の基部と第２の綴じ環１４の基部とを結ぶ方向と平行で第２の作動片３２の長さ方向にのびる。
前記突条２３２ｈは、間隔をおいて設けられた第１の綴じ環１２の基部と第２の綴じ環１４の基部の間で外側端縁３２ｂの突出部３２ｃ1と突出部３２ｃ2との間において、連続して、第１の綴じ環１２及び第２の綴じ環１４が突出する方向とは反対側に向けて突設されている。
前記突条２３２ｈは、第２の作動片３２を構成する平板状の金属製板体を断面Ｌ字形に折り曲げて形成されている。
したがって、第１の作動片３０及び第２の作動片３２は、第１の綴じ環１２の基部と第２の綴じ環１４の基部間におけるしなりが、突条２３０ｈ及び突条２３２ｈにより防止される。
【００６４】
図２６及び図２７図示第１の作動片３０は、基部で固定された第１の綴じ部材１２ａ及び第３の綴じ部材１４ａの基部の近傍に、第１の作動片３０を補強してしなりを少なくするために、ビード２３４ａ及びビード２３４ｂが上面に向けて突設されている。
図２６及び図２７図示第２の作動片３２は、基部で固定された第２の綴じ部材１２ｂ及び第４の綴じ部材１４ｂの基部の近傍に、第２の作動片３２を補強してしなりを少なくするために、ビード２３４ｃ及びビード２３４ｄが上面に向けて突設されている。
【００６５】
ビード２３４ａは、第１の綴じ部材１２ａの基部と突出部３０ｃ1との間において第１の作動片３０の長手方向にのびる第１直線部２３４ａ１と、突条２３０ｈの内側（第１の作動片３０の幅方向における略々中央において）で第１の綴じ部材１２ａの基部の近傍から第１の作動片３０の長手方向にのびる第２直線部２３４ａ2と、第１直線部２３４ａ１の内側端と第２直線部２３４ａ２の外側端との間を結ぶ斜線部２３４ａ3とを備え、第１の作動片３０の下面から上面に向けて一定幅を有する直線状凸部を突設してなる。
ビード２３４ｂは、第３の綴じ部材１４ａの基部と突出部３０ｃ2との間において第１の作動片３０の長手方向にのびる第１直線部２３４ｂ１と、突条２３０ｈの内側（第１の作動片３０の幅方向における略々中央において）で第３の綴じ部材１４ａの基部の近傍から第１の作動片３０の長手方向にのびる第２直線部２３４ｂ2と、第１直線部２３４ｂ１の内側端と第２直線部２３４ｂ２の外側端との間を結ぶ斜線部２３４ｂ3とを備え、第１の作動片３０の下面から上面に向けて一定幅を有する直線状凸部を突設してなる。
ビード２３４ｃは、第２の綴じ部材１２ｂの基部と突出部３２ｃ1との間において第２の作動片３２の長手方向にのびる第１直線部２３４ｃ１と、突条２３２ｈの内側（第２の作動片３２の幅方向における略々中央において）で第２の綴じ部材１２ｂの基部の近傍から第２の作動片３２の長手方向にのびる第２直線部２３４ｃ2と、第１直線部２３４ｃ1の内側端と第２直線部２３４ｃ2の外側端との間を結ぶ斜線部２３４ｃ3とを備え、第２の作動片３２の下面から上面に向けて一定幅を有する直線状凸部を突設してなる。
ビード２３４ｄは、第４の綴じ部材１４ｂの基部と突出部３２ｃ2との間において第２の作動片３２の長手方向にのびる第１直線部２３４ｄ１と、突条２３２ｈの内側（第２の作動片３２の幅方向における略々中央において）で第３の綴じ部材１４ｂの基部の近傍から第２の作動片３２の長手方向にのびる第２直線部２３４ｄ2と、第１直線部２３４ｄ１の内側端と第２直線部２３４ｄ２の外側端との間を結ぶ斜線部２３４ｄ3とを備え、第２の作動片３２の下面から上面に向けて一定幅を有する直線状凸部を突設してなる。
【００６６】
綴具１０を表紙Ａに取り付けるには、第１の保持壁２４ａおよび第２の保持壁２４ｂの下端縁を接合して取付孔２０，２０にボルトナットや鋲により取り付ければよい。
また、前記実施の形態においては、第１の綴じ環１２と第２の綴じ環１４といったように、２穴タイプの綴具について説明したが、綴杆を増やした多穴タイプ、例えば、３穴、４穴、２０穴、２６穴、３０穴といった多くの綴杆を備えた綴具とすることができる。
綴杆の数に対応して、保持部材及び作動部材の長さがのびるとともに保持部材の第１の貫通孔及び第２の貫通孔の間に１または複数の第１の貫通孔及び第２の貫通孔と同様な貫通孔を形成し、作動部材に固定された綴杆を貫挿できるようにすればよい。
【００６７】
開閉部材は、前記実施の形態の綴具においては、一対の作動片に対応して、１個が装填されていたが、合計２個の開閉部材を装填してもよい。
また、作動部材を構成する第１の作動片及び第２の作動片は、それぞれ一体成形されていたが、綴杆の数が増加（４穴、２０穴、２６穴、３０穴など）するに従って、第１の作動片及び第２の作動片をそれぞれ分割してもよい。
【００６８】
次に、本発明にかかる別の実施の形態である４穴真円型リング綴具（図２図示綴具の変形例）を備えたファイル・バインダ類について、図２８ないし図３２に基づいて説明する。
この実施の形態の綴具５１０は、前記実施の形態の綴具１０と略同様の構成であるが、主として、綴杆の数が増加したことに伴う、保持部材の構成、作動部材の構成および開閉部材の構成が異なるので、それらを中心に以下説明する。
【００６９】
綴具５１０は、一対のそれぞれ略円環状の金属製の第１の綴じ環５１２、第２の綴じ環５１３、第３の綴じ環５１４および第４の綴じ環５１５と、前記第１の綴じ環５１２および第４の綴じ環５１５をそれぞれ間隔をおいて設けることができる長さを備えた保持部材５１６と、その表面に第１の綴じ環５１２および第４の綴じ環５１５が間隔をおいてそれぞれの基部が固定され、第１の綴じ環５１２第２の綴じ環５１３、第３の綴じ環５１４および第４の綴じ環５１５が前記保持部材５１６に固定されるように保持部材５１６の内側に可動自在に固定された作動部材５１８とを備える。
【００７０】
綴杆は、４穴タイプのために、第１の綴じ環５１２、第２の綴じ環５１３、第３の綴じ環５１４および第４の綴じ環５１５の４個の綴杆からなる。第１の綴じ環５１２は、第１の綴じ部材５１２ａおよび第２の綴じ部材５１２ｂを備え、第２の綴じ環５１３は、第３の綴じ部材５１３ａおよび第４の綴じ部材５１３ｂを備え、第３の綴じ環５１４は、第５の綴じ部材５１４ａおよび第６の綴じ部材５１４ｂを備え、第４の綴じ環５１５は、第７の綴じ部材５１５ａおよび第８の綴じ部材５１５ｂを備える。
そして、用紙等の被綴じ物Ｓに予め穿設された綴じ孔に挿通して、用紙等の被綴じ物Ｓを綴じることができるように、第１の綴じ部材５１２ａおよび第２の綴じ部材５１２ｂの先端と、第３の綴じ部材５１３ａおよび第４の綴じ部材５１３ｂの先端と、第５の綴じ部材５１４ａおよび第６の綴じ部材５１４ｂの先端と、第７の綴じ部材５１５ａおよび第８の綴じ部材５１５ｂの先端とにおいて、すなわち第１の綴じ環５１２、第２の綴じ環５１３、第３の綴じ環５１４および第４の綴じ環５１５の頂部において、綴杆係止部５５０が形成されている。
第１の綴じ環５１２を構成する第１の綴じ部材５１２ａと第２の綴じ部材５１２ｂとは、第１の綴じ部材５１２ａの綴杆係止部５５０と、第２の綴じ部材５１２ｂの綴杆係止部５５０とを係止することにより、環状に係合される。
また、第３の綴じ環５１４を構成する第５の綴じ部材５１４ａと第６の綴じ部材５１４ｂとは、第５の綴じ部材５１４ａの綴杆係止部５５０と第６の綴じ部材５１４ｂの綴杆係止部５５０とを係止することにより、環状に係合される。
【００７１】
保持部材５１６は、第１の綴じ環５１２、第２の綴じ環５１３、第３の綴じ環５１４および第４の綴じ環５１５を所定の間隔をおいて設けることができる長さを備える平面略長方形で、その両端、すなわち表紙Ａに取り付ける取付孔５２０近傍においては、平面略半円弧状に形成されている。
保持部材５１６は、被綴じ物載置部５２２の内側には保持空間を備え、その空間に作動部材５１８等を収容するように構成されている。
保持部材５１６の被綴じ物載置部５２２の両端には、その長手方向に略々その一端から他端に亘って、作動部材５１８を摺動自在に保持する保持壁５２４が設けられている。この実施の形態においては、保持部材５１６の長手方向において、第１の綴じ環５１２、第２の綴じ環５１３、第３の綴じ環５１４および第４の綴じ環５１５のそれぞれの外側近傍より内部に亘って略全体において垂下されるように、第１の保持壁５２４ａおよび第２の保持壁５２４ｂが連設され、第１の保持壁５２４ａと第２の保持壁５２４ｂとは平行で略同一の形状の板状である。そして、この第１の保持壁５２４ａおよび第２の保持壁５２４ｂと被綴じ物載置部５２２によって囲繞された保持空間内に、後に詳しく説明する作動部材５１８等が収容される。
【００７２】
保持部材５１６の被綴じ物載置部５２２には、第１の綴じ環５１２と第２の綴じ環５１３とを、一定の間隔（日本工業規格等で決められている一定の長さ）をおいて遊貫するための、第１の貫通孔５２６と第２の貫通孔５２７がそれぞれ穿設されるとともに、第３の綴じ環５１４と第４の綴じ環５１５とを、一定の間隔（日本工業規格等で決められている一定の長さ）をおいて遊貫するための、第３の貫通孔５２８及び第４の貫通孔５２９がそれぞれ穿設されている。
第１の貫通孔５２６及び第２の貫通孔５２７と第３の貫通孔５２８及び第４の貫通孔５２９とは、それぞれの綴杆を構成する綴じ部材に対応して、保持部材５１６の幅方向において左右に分かれて一定の間隔をおいて、２つずつ穿設されている。
【００７３】
作動部材５１８を構成する作動片は、前記実施の形態の綴具の作動片とは異なり長く形成された、左右一対の作動片５３０及び作動片５３２を有する。
第１の作動片５３０は、前記第１の綴じ部材５１２ａ、第３の綴じ部材５１３ａ、第５の綴じ部材５１４ａ及び第７の綴じ部材５１５ａの基部が固定されている。
第２の作動片５３２は、第２の綴じ部材５１２ｂ、第４の綴じ部材５１３ｂ、第６の綴じ部材５１４ｂ及び第８の綴じ部材５１５ｂの基部が固定されている。
【００７４】
前記第１の作動片５３０の第１係合部５３６ａの係合面と前記第２の作動片５３２の第２係合部５３６ｂの係合面とを、前記基準面ＬＰ1及び基準面ＬＰ2と略々同じ高さ又は低い高さにおいて係合されている。
前記第２の作動片５３２の第１係合部５３６ａの係合面と前記第１の作動片５３０の第２係合部５３６ｂの係合面とを、前記基準面ＬＰ1及び基準面ＬＰ2と略々同じ高さ又は低い高さにおいて係合されている。
第１係合部５３６ａは、第１の作動片の向こう側第１係合部５３６ａ1、第１作動片の手前側第１係合部５３６ａ2、第２の作動片の手前側第１係合部５３６ａ3及び第２の作動片の向こう側第１係合部５３６ａ4を含む。
第２係合部５３６ｂは、第２の作動片の向こう側第２係合部５３６ｂ1、第２の作動片の手前側第２係合部５３６ｂ2、第１の作動片の手前側第２係合部５３６ｂ3及び第１の作動片の向こう側第２係合部５３６ｂ4を含む。
【００７５】
第１の作動片５３０及び第２の作動片５３２は、第１の作動片の向こう側凹み部７３０ｄ、第１の作動片の手前側凹み部７３０ｅ、第２の作動片の向こう側凹み部７３２ｄ及び第２の作動片の手前側凹み部７３２ｅが形成され、且つ、第１の作動片の向こう側凹み部７３０ｄに第１の作動片の向こう側第１係合部５３６ａ1を形成され、第２の作動片の向こう側凹み部７３２ｄに第２の作動片の向こう側第２係合部５３６ｂ1を形成され、第２の作動片の手前側凹み部７３２ｅに第２の作動片の手前側第１係合部５３６ａ3を形成され、第１の作動片の手前側凹み部７３０ｅに第１の作動片の手前側第２係合部５３６ｂ3を形成され、第１の作動片の手前側凹み部７３０ｅに第１の作動片の手前側第１係合部５３６ａ2を形成され、第２の作動片の手前側凹み部７３２ｅに第２の作動片の手前側第２係合部５３６ｂ2を形成され、第２の作動片の向こう側凹み部７３２ｄに第２の作動片の向こう側第１係合部５３６ａ4を形成され、第１の作動片の向こう側凹み部７３０ｄに第１の作動片の向こう側第２係合部５３６ｂ4を形成されている。
【００７６】
第１の作動片の向こう側凹み部７３０ｄ及び第２の作動片の向こう側凹み部７３２ｄと第１の作動片の手前凹み部７３０ｅ及び第２の作動片の手前側凹み部７３２ｅは、第１の作動片５３０及び第２の作動片５３２の長さ方向において、上下に分かれて上下２対ずつ形成されている。
又、第１の作動片の向こう側第１係合部５３６ａ1及び第２の作動片の向こう側第１係合部５３６ａ4と第１の作動片の手前側第１係合部５３６ａ2及び第２の作動片の手前側第１係合部５３６ａ3も、第１の作動片５３０及び第２の作動片５３２の長さ方向において、上下に分かれて上下２対ずつ形成されている。
なお、前記実施の形態と同様に、規制凹部５３０ｆ、５３２ｆと規制凸部５３０ｇ、５３２ｇも同様に形成されている。
【００７７】
そして、開閉部材５４０は、第１の作動片５３０の開閉部材固定部５３８ａ1と第２の作動片５３２の開閉部材固定部５３８ｂ1とに跨って突き合わせ縁５３０ａ及び突き合わせ縁５３２ａと斜交するように固定され、開閉部材５４２は、第１の作動片５３０の開閉部材固定部５３８ａ2と第２の作動片５３２の開閉部材固定部５３８ｂ2とに跨って突き合わせ縁５３０ａ及び突き合わせ縁５３２ａと斜交するように固定される。
開閉部材５４０の固定先端部５４０ａは第１の作動片５３０の開閉部材固定部５３８ａ1に、固定先端部５４０ｂは第２の作動片５３２の開閉部材固定部５３８ｂ1にそれぞれ固定され、開閉部材５４２の固定先端部５４２ａは第１の作動片５３０の開閉部材固定部５３８ａ2に、固定先端部５４２ｂは第２の作動片５３２の開閉部材固定部５３８ｂ2にそれぞれ固定される。
【００７８】
前記第１の作動片５３０は、前記突き合わせ縁５３０ａとは離れた位置で、間隔をおいて設けられた第１の綴じ環５１２の基部と第５の綴杆５１５の基部とを結ぶ方向（図３０図示Ｘ1及びＸ2方向）に近い方向にのびる突条５３０ｈが形成されている。この実施の形態においては、第１の綴じ環５１２の基部と第５の綴杆５１５の基部とを結ぶ方向と平行で第１の作動片５３０の長さ方向にのびる。
前記突条５３０ｈは、間隔をおいて設けられた第１の綴じ環５１２の基部と第５の綴杆５１５の基部の間で、外側端縁５３０ｂにおいて、突出部５３０ｃ3の近傍を除いて連続して、第１の綴じ環５１２及び第５の綴杆５１５が突出する方向とは反対側に向けて突設されている。
前記突条５３０ｈは、第１の作動片５３０を構成する平板状の金属製板体を断面Ｌ字形に折り曲げて形成されている。
また、前記第２の作動片５３２は、前記突き合わせ縁５３２ａとは離れた位置で、間隔をおいて設けられた第１の綴じ環５１２の基部と第５の綴杆５１５の基部とを結ぶ方向（図３０図示Ｘ1及びＸ2方向）に近い方向にのびる突条５３２ｈが形成されている。この実施の形態においては、第１の綴じ環５１２の基部と第５の綴杆５１５の基部とを結ぶ方向と平行で第２の作動片５３２の長さ方向にのびる。
前記突条５３２ｈは、間隔をおいて設けられた第１の綴じ環５１２の基部と第５の綴杆５１５の基部の間で、外側端縁５３２ｂにおいて、突出部５３０ｃ3の近傍を除いて連続して、第１の綴じ環５１２及び第５の綴杆５１５が突出する方向とは反対側に向けて突設されている。
前記突条５３２ｈは、第２の作動片５３２を構成する平板状の金属製板体を断面Ｌ字形に折り曲げて形成されている。
したがって、第１の作動片５３０及び第２の作動片５３２は、第１の綴じ環５１２の基部と第５の綴杆５１５の基部間におけるしなりが、突条５３０ｈ及び突条５３２ｈにより防止される。
【００７９】
第１の作動片５３０は、基部で固定された第１の綴じ部材５１２ａ及び第７の綴じ部材５１５ａの基部の近傍と中央の突出部５３０ｃ3の近傍とに、第１の作動片５３０を補強してしなりを少なくするために、ビード５３４ａ、ビード５３４ｂ及びビード５３４ｅが上面に向けて突設されている。
第２の作動片５３２は、基部で固定された第２の綴じ部材５１２ｂ及び第８の綴じ部材５１５ｂの基部の近傍と中央の突出部５３２ｃ3の近傍とに、第２の作動片５３２を補強してしなりを少なくするために、ビード５３４ｃ、ビード５３４ｄ及びビード５３４ｆが上面に向けて突設されている。
【００８０】
ビード５３４ａは、第１の綴じ部材５１２ａの基部と突出部５３０ｃ1との間において第１の作動片５３０の長手方向にのびる第１直線部５３４ａ１と、突条５３０ｈの内側（第１の作動片５３０の幅方向における略々中央において）で第１の綴じ部材５１２ａの基部の近傍から第１の作動片５３０の長手方向にのびる第２直線部５３４ａ2と、第１直線部５３４ａ１の内側端と第２直線部５３４ａ２の外側端との間を結ぶ斜線部５３４ａ3とを備え、第１の作動片５３０の下面から上面に向けて一定幅を有する直線状凸部を突設してなる。
ビード５３４ｂは、第７の綴じ部材５１５ａの基部と突出部５３０ｃ2との間において第１の作動片５３０の長手方向にのびる第１直線部５３４ｂ１と、突条５３０ｈの内側（第１の作動片５３０の幅方向における略々中央において）で第３の綴じ部材５１４ａの基部の近傍から第１の作動片５３０の長手方向にのびる第２直線部５３４ｂ2と、第１直線部５３４ｂ１の内側端と第２直線部５３４ｂ２の外側端との間を結ぶ斜線部５３４ｂ3とを備え、第１の作動片５３０の下面から上面に向けて一定幅を有する直線状凸部を突設してなる。
ビード５３４ｃは、第２の綴じ部材５１２ｂの基部と突出部５３２ｃ1との間において第２の作動片５３２の長手方向にのびる第１直線部５３４ｃ１と、突条５３２ｈの内側（第２の作動片５３２の幅方向における略々中央において）で第２の綴じ部材５１２ｂの基部の近傍から第２の作動片５３２の長手方向にのびる第２直線部５３４ｃ2と、第１直線部５３４ｃ1の内側端と第２直線部５３４ｃ2の外側端との間を結ぶ斜線部５３４ｃ3とを備え、第２の作動片５３２の下面から上面に向けて一定幅を有する直線状凸部を突設してなる。
ビード５３４ｄは、第８の綴じ部材５１５ｂの基部と突出部５３２ｃ2との間において第２の作動片５３２の長手方向にのびる第１直線部５３４ｄ１と、突条５３２ｈの内側（第２作動片５３２の幅方向における略々中央において）で第３の綴じ部材５１４ｂの基部の近傍から第２の作動片５３２の長手方向にのびる第２直線部５３４ｄ2と、第１直線部５３４ｄ１の内側端と第２直線部５３４ｄ２の外側端との間を結ぶ斜線部５３４ｄ3とを備え、第２の作動片５３２の下面から上面に向けて一定幅を有する直線状凸部を突設してなる。
ビード５３４ｅは、直線状であり、突出部５３０ｃ3の近傍において、上下に分断された突条５３０ｈと突条５３０ｈとの間に跨って形成されている。
ビード５３４ｆは、直線状であり、突出部５３２ｃ3の近傍において、上下に分断された突条５３２ｈと５３２ｈとの間に跨って形成されている。
【００８１】
開閉部材は、前記実施の形態の綴具においては、一対の作動片に対応して、１個が装填されていたが、この実施の形態の綴具においては、一対の作動片５３０及び作動片５３２の長さに対応して、上下に１個ずつ、合計２個の開閉部材５４０及び開閉部材５４２が装填されている。
【００８２】
突出部５３０ｃ1は第１保持部５６０により、突出部５３０ｃ2は第１保持部５６２により、突出部５３２ｃ1は第２保持部５６４により、突出部５３２ｃ2は第２保持部５６６により、それぞれ保持される。
また、突出部５３０ｃ3は第３保持部５６１により、突出部５３２ｃ3は第３保持部５６５により、それぞれ保持される。
【００８３】
次に、本発明にかかる別の実施の形態である３穴真円型リング綴具（図２図示綴具の変形例）を備えたファイル・バインダ類について、図３３ないし図３７に基づいて説明する。
この実施の形態の綴具６１０は、前記実施の形態の綴具１０と略同様の構成であるが、主として、綴杆の数が増加したことに伴う、保持部材の構成、作動部材の構成および開閉部材の構成が異なるので、それらを中心に以下説明する。
【００８４】
綴具６１０は、一対のそれぞれ略円環状の金属製の第１の綴じ環６１２、第２の綴じ環６１３及び第３の綴じ環６１４と、前記第１の綴じ環６１２ないし第３の綴じ環６１４をそれぞれ間隔をおいて設けることができる長さを備えた保持部材６１６と、その表面に第１の綴じ環６１２ないし第３の綴じ環６１４が間隔をおいてそれぞれの基部が固定され、第１の綴じ環６１２、第２の綴じ環６１３及び第３の綴じ環６１４が前記保持部材６１６に固定されるように保持部材６１６の内側に可動自在に固定された作動部材６１８とを備える。
【００８５】
綴杆は、３穴タイプのために、第１の綴じ環６１２、第２の綴じ環６１３及び第３の綴じ環６１４の３個の綴杆からなる。第１の綴じ環６１２は、第１の綴じ部材６１２ａおよび第２の綴じ部材６１２ｂを備え、第２の綴じ環６１３は、第３の綴じ部材６１３ａおよび第４の綴じ部材６１３ｂを備え、第３の綴じ環６１４は、第５の綴じ部材６１４ａおよび第６の綴じ部材６１４ｂを備える。
そして、用紙等の被綴じ物Ｓに予め穿設された綴じ孔に挿通して、用紙等の被綴じ物Ｓを綴じることができるように、第１の綴じ部材６１２ａおよび第２の綴じ部材６１２ｂの先端と、第３の綴じ部材６１３ａおよび第４の綴じ部材６１３ｂの先端と、第５の綴じ部材６１４ａと第６の綴じ部材６１４ｂの先端とにおいて、すなわち第１の綴じ環６１２、第２の綴じ環６１３および第３の綴じ環６１４の頂部において、綴杆係止部６５０が形成されている。
【００８６】
前記綴杆を構成する第１の綴じ環６１２、第２の綴じ環６１３及び第３の綴じ環６１４は、断面円形状金属製線材を、綴杆係止部６５０を外す方向（図３４のＯ1及びＯ2の方向）にのばし、且つ中央部分を押さえることによって綴杆を閉じる方向に対してわん曲させて形成されている。そして、第１の綴じ環６１２、第２の綴じ環６１３及び第３の綴じ環６１４は、中央が綴杆を開く方向（第１の綴じ部材６１２ａ、第３の綴じ部材６１３ａ及び第５の綴じ部材６１４ａは、図３０のＯ3方向、第２の綴じ部材６１２ｂ、第４の綴じ部材６１３ｂ、第６の半割杆６１４ｂは、図３４のＯ4方向）に膨み且つ両端が綴杆を閉じる方向にわん曲した断面略空豆（ビーンズ）型の形状に形成されている。
すなわち、環状の第１の綴じ環６１２、第２の綴じ環６１３及び第３の綴じ環６１４を開閉方向に見て、第１の綴じ環６１２、第２の綴じ環６１３及び第３の綴じ環６１４の内側は波状起伏面が形成され、第１の綴じ環６１２、第２の綴じ環６１３及び第３の綴じ環６１４の外側は半円弧状に形成されている。そして、第１の綴じ環６１２、第２の綴じ環６１３及び第３の綴じ環６１４は、綴杆を外す方向に見て、両外側が、半円弧状に形成されている。
従来の断面形状丸型の綴杆は、小径だと変形に弱く、大径にすれば断面積が増して材料費がかさみ、従来の断面形状略長方形の綴杆は、用紙等の被綴じ物Ｓにあける綴じ穴には丸穴が多いので、用紙等の被綴じ物Ｓの綴じ穴に対応しにくく、用紙等の被綴じ物Ｓの綴じ穴を傷つけるおそれがある。
ところが、綴杆を構成する第１の綴じ環６１２、第２の綴じ環６１３及び第３の綴じ環６１４は、細いならば綴杆係止部６５０の嵌合がうまくゆかないときがある。
そのために、第１の綴じ環６１２、第２の綴じ環６１３及び第３の綴じ環６１４の幅を広げたいが、元の線材として断面積の小さいものを使用しても、元の金属製線材を加工することにより綴杆としては必要な幅が確保されるようにしたい。
そこで、本発明にかかる綴杆は、それを形成する線材の中央部分を押さえて線材を空豆（ビーンズ）型につぶすことにより全体としての幅を広げ、すなわち、綴杆の全体の幅を綴杆係止部６５０を外す方向に広げて、綴杆係止部６５０の嵌合を完全にできるように形成している。
【００８７】
保持部材６１６は、第１の綴じ環６１２、第２の綴じ環６１３及び第３の綴じ環６１４を所定の間隔をおいて設けることができる長さを備える平面略長方形で、その両端、すなわち表紙Ａに取り付ける取付孔６２０近傍においては、平面略半円弧状に形成されている。
保持部材６１６は、被綴じ物載置部６２２の内側には保持空間を備え、その空間に作動部材６１８等を収容するように構成されている。
保持部材６１６の被綴じ物載置部６２２の両端には、その長手方向に略々その一端から他端に亘って、作動部材６１８を摺動自在に保持する保持壁６２４が設けられている。この実施の形態においては、保持部材６１６の長手方向において、第１の綴じ環６１２、第２の綴じ環６１３及び第３の綴じ環６１４のそれぞれの外側近傍より内部に亘って略全体において垂下されるように、第１の保持壁６２４ａおよび第２の保持壁６２４ｂが連設され、第１の保持壁６２４ａと第２の保持壁６２４ｂとは平行で略同一の形状の板状である。そして、この第１の保持壁６２４ａおよび第２の保持壁６２４ｂと被綴じ物載置部６２２によって囲繞された保持空間内に、後に詳しく説明する作動部材６１８等が収容される。
【００８８】
保持部材６１６の被綴じ物載置部６２２には、第１の綴じ環６１２と第２の綴じ環６１３とに、第３の綴じ環６１４とを、一定の間隔（日本工業規格等で決められている一定の長さ）をおいて遊貫するための、第１の貫通孔６２６、第２の貫通孔６２７及び第３の貫通孔６２８がそれぞれ穿設されている。
第１の貫通孔６２６と第２の貫通孔６２７と第３の貫通孔６２８とは、それぞれの綴杆を構成する綴じ部材に対応して、保持部材６１６の幅方向において左右に分かれて一定の間隔をおいて、２つずつ穿設されている。
【００８９】
作動部材６１８を構成する作動片は、前記実施の形態の綴具１０の作動片と同様に、左右一対の作動片を有する。
前記第１の綴じ部材６１２ａ、第３の綴じ部材６１３ａ及び第５の綴じ部材６１４ａの基部が固定された第１の作動片６３０と第２の綴じ部材６１２ｂ、第４の綴じ部材６１３ｂ及び第６の綴じ部材６１４ｂの基部が固定された第２の作動片６３２とは、前記実施の形態の第１の作動片５３０および第２の作動片５３２と略同一に形成されている。
【００９０】
前記第１の作動片６３０の第１係合部６３６ａの係合面と前記第２の作動片６３２の第２係合部６３６ｂの係合面とを、前記基準面ＬＰ1及び基準面ＬＰ2と略々同じ高さ又は低い高さにおいて係合されている。
前記第２の作動片６３２の第１係合部６３６ａの係合面と前記第１の作動片６３０の第２係合部６３６ｂの係合面とを、前記基準面ＬＰ1及び基準面ＬＰ2と略々同じ高さ又は低い高さにおいて係合されている。
第１係合部６３６ａは、第１の作動片の向こう側第１係合部６３６ａ1、第１作動片の手前側第１係合部６３６ａ2、第２の作動片の手前側第１係合部６３６ａ3及び第２の作動片の向こう側第１係合部６３６ａ4を含む。
第２係合部６３６ｂは、第２の作動片の向こう側第２係合部６３６ｂ1、第２の作動片の手前側第２係合部６３６ｂ2、第１の作動片の手前側第２係合部６３６ｂ3及び第１の作動片の向こう側第２係合部６３６ｂ4を含む。
また、この実施の形態においては、第１の作動片６３０及び第２の作動片６３２の長手方向における中央においても、第１係合部６３６ａ及び第２係合部６３６ｂが形成されている。
中央の第１係合部６３６ａ及び第２係合部６３６ｂは、第１の作動片の中央の凹み部８３０ｄ5及び第１係合部６３６ａ5並びに第２の作動片の凹み部８３２ｄ5及び第１係合部６３６ａ6が形成されている。
【００９１】
第１の作動片６３０及び第２の作動片６３２は、第１の作動片の向こう側凹み部８３０ｄ、第１の作動片の手前側凹み部８３０ｅ、第２の作動片の向こう側凹み部８３２ｄ及び第２の作動片の手前側凹み部８３２ｅが形成され、且つ、第１の作動片の向こう側凹み部８３０ｄに第１の作動片の向こう側第１係合部６３６ａ1を形成され、第２の作動片の向こう側凹み部８３２ｄに第２の作動片の向こう側第２係合部６３６ｂ1を形成され、第２の作動片の手前側凹み部８３２ｅに第２の作動片の手前側第１係合部６３６ａ3を形成され、第１の作動片の手前側凹み部８３０ｅに第１の作動片の手前側第２係合部６３６ｂ3を形成され、第２の作動片の手前側凹み部８３２ｅに第１の作動片の手前側第１係合部６３６ａ2を形成され、第２の作動片の手前側凹み部８３２ｅに第２の作動片の手前側第２係合部６３６ｂ2を形成され、第２の作動片の向こう側凹み部８３２ｄに第２の作動片の向こう側第１係合部６３６ａ4を形成され、第１の作動片の向こう側凹み部８３０ｄに第１の作動片の向こう側第２係合部６３６ｂ4を形成されている。
なお、前記実施の形態と同様に、規制凹部６３０ｆ、６３２ｆと規制凸部６３０ｇ、６３２ｇも同様に形成されている。
【００９２】
そして、開閉部材６４０は、第１の作動片６３０の開閉部材固定部６３８ａ1と第２の作動片６３２の開閉部材固定部６３８ｂ1とに跨って突き合わせ縁６３０ａ及び突き合わせ縁６３２ａと斜めに交差するように架け渡され、すなわち斜交するように固定され、開閉部材６４２は、第１の作動片６３０の開閉部材固定部６３８ａ2と第２の作動片６３２の開閉部材固定部６３８ｂ2とに跨って突き合わせ縁６３０ａ及び突き合わせ縁６３２ａと斜めに交差するように架け渡され、すなわち斜交するように固定される。
開閉部材６４０の固定先端部６４０ａは第１の作動片６３０の開閉部材固定部６３８ａ1に、固定先端部６４０ｂは第２の作動片６３２の開閉部材固定部６３８ｂ1にそれぞれ固定され、開閉部材６４２の固定先端部６４２ａは第１の作動片６３０の開閉部材固定部６３８ａ2に、固定先端部６４２ｂは第２の作動片６３２の開閉部材固定部６３８ｂ2にそれぞれ固定される。
【００９３】
前記第１の作動片６３０は、前記突き合わせ縁６３０ａとは離れた位置で、間隔をおいて設けられた第１の綴じ環６１２の基部と第３の綴じ環６１４の基部とを結ぶ方向（図３５図示Ｘ1及びＸ2方向）に近い方向にのびる突条６３０ｈが形成されている。この実施の形態においては、第１の綴じ環６１２の基部と第３の綴じ環６１４の基部とを結ぶ方向と平行で第１の作動片６３０の長さ方向にのびる。
前記突条６３０ｈは、間隔をおいて設けられた第１の綴じ環６１２の基部と第３の綴じ環６１４の基部の間で、外側端縁６３０ｂにおいて、突出部６３０ｃ3の近傍を除いて連続して、第１の綴じ環６１２及び第３の綴じ環６１４が突出する方向とは反対側に向けて突設されている。
前記突条６３０ｈは、第１の作動片６３０を構成する平板状の金属製板体を断面Ｌ字形に折り曲げて形成されている。
また、前記第２の作動片６３２は、前記突き合わせ縁６３２ａとは離れた位置で、間隔をおいて設けられた第１の綴じ環６１２の基部と第３の綴じ環６１４の基部とを結ぶ方向（図３５図示Ｘ1及びＸ2方向）に近い方向にのびる突条６３２ｈが形成されている。この実施の形態においては、第１の綴じ環６１２の基部と第３の綴じ環６１４の基部とを結ぶ方向と平行で第２の作動片６３２の長さ方向にのびる。
前記突条６３２ｈは、間隔をおいて設けられた第１の綴じ環６１２の基部と第３の綴じ環６１４の基部の間で、外側端縁６３２ｂにおいて、突出部６３２ｃ3の近傍を除いて連続して、第１の綴じ環６１２及び第３の綴じ環６１４が突出する方向とは反対側に向けて突設されている。
前記突条６３２ｈは、第２の作動片６３２を構成する平板状の金属製板体を断面Ｌ字形に折り曲げて形成されている。
したがって、第１の作動片６３０及び第２の作動片６３２は、第１の綴じ環６１２の基部と第３の綴じ環６１４の基部間におけるしなりが、突条６３０ｈ及び突条６３２ｈにより防止される。
【００９４】
第１の作動片６３０は、基部で固定された第１の綴じ部材６１２ａ、第３の綴じ部材６１３ａ及び第５の綴じ部材６１４ａの基部の近傍に、第１の作動片６３０を補強してしなりを少なくするために、ビード６３４ａ、ビード６３４ｂ及びビード６３４ｅが上面に向けて突設されている。
第２の作動片６３２は、基部で固定された第２の綴じ部材６１２ｂ、第４の綴じ部材６１３ｂ及び第６の綴じ部材６１４ｂの基部の近傍に、第２の作動片６３２を補強してしなりを少なくするために、ビード６３４ｃ、ビード６３４ｄ及びビード６３４ｆが上面に向けて突設されている。
【００９５】
ビード６３４ａは、第１の綴じ部材６１２ａの基部と突出部６３０ｃ1との間において第１の作動片６３０の長手方向にのびる第１直線部６３４ａ１と、突条６３０ｈの内側（第１の作動片６３０の幅方向における略々中央において）で第１の綴じ部材６１２ａの基部の近傍から第１の作動片６３０の長手方向にのびる第２直線部６３４ａ2と、第１直線部６３４ａ１の内側端と第２直線部６３４ａ２の外側端との間を結ぶ斜線部６３４ａ3とを備え、第１の作動片６３０の下面から上面に向けて一定幅を有する直線状凸部を突設してなる。
ビード６３４ｂは、第５の綴じ部材６１４ａの基部と突出部６３０ｃ2との間において第１の作動片６３０の長手方向にのびる第１直線部６３４ｂ１と、突条６３０ｈの内側（第１の作動片６３０の幅方向における略々中央において）で第５の綴じ部材６１４ａの基部の近傍から第１の作動片６３０の長手方向にのびる第２直線部６３４ｂ2と、第１直線部６３４ｂ１の内側端と第２直線部６３４ｂ２の外側端との間を結ぶ斜線部６３４ｂ3とを備え、第１の作動片６３０の下面から上面に向けて一定幅を有する直線状凸部を突設してなる。
ビード６３４ｃは、第２の綴じ部材６１２ｂの基部と突出部６３２ｃ1との間において第２の作動片６３２の長手方向にのびる第１直線部６３４ｃ１と、突条６３２ｈの内側（第２の作動片６３２の幅方向における略々中央において）で第２の綴じ部材６１２ｂの基部の近傍から第２の作動片６３２の長手方向にのびる第２直線部６３４ｃ2と、第１直線部６３４ｃ1の内側端と第２直線部６３４ｃ2の外側端との間を結ぶ斜線部６３４ｃ3とを備え、第２の作動片６３２の下面から上面に向けて一定幅を有する直線状凸部を突設してなる。
ビード６３４ｄは、第６の綴じ部材６１４ｂの基部と突出部６３２ｃ2との間において第２の作動片６３２の長手方向にのびる第１直線部６３４ｄ１と、突条６３２ｈの内側（第２の作動片６３２の幅方向における略々中央において）で第６の綴じ部材６１４ｂの基部の近傍から第２の作動片６３２の長手方向にのびる第２直線部６３４ｄ2と、第１直線部６３４ｄ１の内側端と第２直線部６３４ｄ2の外側端との間を結ぶ斜線部６３４ｄ3とを備え、第２の作動片６３２の下面から上面に向けて一定幅を有する直線状凸部を突設してなる。
ビード６３４ｅは、第３の綴じ部材６１３ａの基部と突出部６３０ｃ3の間において、上下に分断された突条６３０ｈと突条６３０ｈとの間に跨って形成されている。
ビード６３４ｅは、第３の綴じ部材６１３ａの基部と突出部６３０ｃ3との間において第１の作動片６３０の長手方向にのびる第１直線部６３４ｅ１と、突条６３０ｈの内側で第５の綴じ部材６１３ａの基部の近傍から第１の作動片６３０の長手方向にのびる第２直線部６３４ｅ2と、第１直線部６３４ｅ１と第２直線部６３４ｅ２との間を結ぶ斜線部６３４ｅ3とを備え、第１の作動片６３０の下面から上面に向けて一定幅を有する直線状凸部を突設してなる。
ビード６３４ｆは、第４の綴じ部材６１３ｂの基部と突出部６３２ｃ3の間において、上下に分断された突条６３２ｈと突条６３２ｈとの間に跨って形成されている。
ビード６３４ｆは、第４の綴じ部材６１３ｂの基部と突出部６３２ｃ3との間において第２の作動片６３２の長手方向にのびる第１直線部６３４ｆ１と、突条６３２ｈの内側で第３の綴じ部材６１３ｂの基部の近傍から第２の作動片６３２の長手方向にのびる第２直線部６３４ｆ2と、第１直線部６３４ｆ１と第２直線部６３４ｆ２との間を結ぶ斜線部６３４ｆ3とを備え、第２の作動片６３２の下面から上面に向けて一定幅を有する直線状凸部を突設してなる。
【００９６】
開閉部材は、前記実施の形態の綴具においては、一対の作動片に対応して、１個が装填されていたが、この実施の形態の綴具においては、一対の作動片に、２個の開閉部材６４０及び開閉部材６４１を装填されている。また、合計２個の開閉部材６４０及び６４１のうち一方のみを装填してもよい。
【００９７】
突出部６３０ｃ1は第１保持部６６０により、突出部６３０ｃ2は第１保持部６６２により、突出部６３２ｃ1は第２保持部６６４により、突出部６３２ｃ2は第２保持部６６６により、それぞれ保持される。
また、突出部６３０ｃ3は第３保持部６６１により、突出部６３２ｃ3は第３保持部６６５により、それぞれ保持される。
【００９８】
前記実施の形態によれば、一対の作動片には、保持部材に形成された貫通孔に通される突出部が形成されているので、作動片に綴杆の基部を例えばカシメ止めをしても作動片にかかるストレスを少なくするために面積を大きくすることができる。そのために、作動片全体の強度を増すことができる。
また、作動片の突出部を通す貫通孔と綴杆を通す貫通孔を共通にすることができるために、保持部材の構造を簡略化して製造コストの引き下げを図ることができる。
【００９９】
開閉部材４０と開閉部材固定部３８ａ及び開閉部材固定部３８ｂとは、次のように変更してもよい。
開閉部材４０の一方の固定先端部４２ａ及び開閉部材４０の他方の固定先端部４２ｂは、開閉部材４０の一方の固定先端部４２ａ及び開閉部材４０の他方の固定先端部４２ｂのようにその大きさや形状を変更してもよく、また、規制腕部４６ａ及び規制腕部４６ｂは、開閉部材４０の規制腕部４６ａ及び開閉部材４０の規制腕部４６ｂの長さを変えたり、規制腕部４６ａ及び規制腕部４６ｂのうち一方を無くしてもよい。
【産業上の利用可能性】
【０１００】
この発明に係るファイル・バインダは、用箋等を綴じるファイルないしバインダとして用いることができる。
【図面の簡単な説明】
【０１０１】
【図１】本発明にかかる一実施の形態である綴具を備えたファイル・バインダ類を示す斜視図である。
【図２】本発明にかかる一実施の形態である綴具の一例を示す斜視図である。
【図３】保持部材の斜視図である。
【図４】作動部材及び開閉部材の斜視図解図である。
【図５】開閉部材の平面図である。
【図６】開閉部材の側面図解図で、（Ａ）は、元の状態の側面図解図であり、（Ｂ）および（Ｃ）は、巻線部の円周方向に力を加えた状態の側面図解図である。
【図７Ａ】閉じた状態における綴じ環と作動部材を示す平面図解図である。
【図７Ｂ】閉じた状態における綴じ環と作動部材を示す左側図解図である。
【図７Ｃ】閉じた状態における綴じ環と作動部材を示す正面図解図である。
【図７Ｄ】閉じた状態における綴じ環と作動部材を示す底面図解図である。
【図８】閉じた状態における綴具の平面図解図である。
【図９】閉じた状態における綴具の底面図である。
【図１０】閉じた状態における綴具の横断面図であり、（Ａ）は、図９Ａ−Ａ断面図であり、（Ｂ）は、概略を示した図９Ｂ−Ｂ断面図である。
【図１１】綴じ環を開く状態を示す綴具の底面図である。
【図１２】綴じ環を開く状態を示す綴具の綴じ環の図解図である。
【図１３】開いた状態における綴具の平面図解図である。
【図１４】開く状態を示す綴具の底面図解図である。
【図１５】開いた状態における綴具の横断面図であり、（Ａ）は、図１４Ａ−Ａ断面図であり、（Ｂ）は、概略を示した図１４Ｂ−Ｂ断面図である。
【図１６】綴じ環の係止部を示す図解図であり、（Ａ）は、平面図解図であり、（Ｂ）は、斜視図解図である。
【図１７】綴じ環の係止部を示す図解図であり、（Ａ）は、図１５Ａ方向図解図であり、（Ｂ）は、（Ａ）のＩ方向矢視図解図であり、（Ｃ）は、（Ａ）のII方向矢視図解図であり、（Ｄ）は、図１５Ｂ方向図解図であり、（Ｅ）は、（Ｄ）のIII方向矢視図解図であり、（Ｆ）は、（Ｄ）のIV方向矢視図解図である。
【図１８】綴じ環を開いた状態における図解図であり、（Ａ）は、平面図解図であり、（Ｂ）は、綴じ環の係合部の近傍の平面図解図である。
【図１９】綴じ環を閉じ始めた状態における図解図であり、（Ａ）は、平面図解図であり、（Ｂ）は、綴じ環の係合部の近傍の平面図解図である。
【図２０】綴じ環を開き始めた状態における図解図であり、（Ａ）は、平面図解図であり、（Ｂ）は、綴じ環の係合部の近傍の平面図解図である。
【図２１】綴じ環を閉じた状態における図解図であり、（Ａ）は、平面図解図であり、（Ｂ）は、綴じ環の係合部の近傍の平面図解図である。
【図２２】保持部材の形成方法を示す図解図であり、（Ａ）は保持部材の側面図解図であり、（Ｂ）は底面図解図である。
【図２３】保持部材の形成方法を示す底面図解図である。
【図２４】保持部材の変形例の形成方法を示す底面図解図である。
【図２５】図２４Ａ方向矢視図である。
【図２６】作動部材の変形例を示す底面図解図である。
【図２７】作動部材の変形例を示す断面図解図である。
【図２８】別の実施の形態である綴具を備えたファイル・バインダ類を示す斜視図である。
【図２９】別の実施の形態である綴具の一例を示す平面図である。
【図３０】図２８図示綴具の全体の底面図である。
【図３１】（Ａ）（Ｂ）は図３０の一部を拡大した底面図である。
【図３２】図２８図示綴具の側面図である。
【図３３】別の実施の形態である綴具を備えたファイル・バインダ類を示す斜視図である。
【図３４】別の実施の形態である綴具の一例を示す平面図である。
【図３５】図３４図示綴具の全体の底面図である。
【図３６】（Ａ）（Ｂ）は図３５の一部を拡大した底面図である。
【図３７】図３３図示綴具の側面図である。
【符号の説明】
【０１０２】
１０  綴具
１２  第１の綴じ環
１２ａ  第１の綴じ部材
１２ｂ  第２の綴じ部材
１４  第２の綴じ環
１４ａ  第３の綴じ部材
１４ｂ  第４の綴じ部材
１６  保持部材
１８  作動部材
２０  取付孔
２２  被綴じ物載置部
２２ａ  膨出部
２４  保持壁
２４ａ  第１の保持壁
２４ｂ  第２の保持壁
２６  第１の貫通孔
２８  第２の貫通孔
３０  第１の作動片
３０ａ，３２ａ  突き合わせ縁
３０ｂ，３２ｂ  外側端縁
３０ｃ1，３０ｃ2，３２ｃ1，３２ｃ2  突出部
３０ｄ，３０ｅ，３２ｄ，３２ｅ  係合部
３２  第２の作動片
３６  開閉部材収容部
３６ａ，３６ｂ  凹み
３８ａ，３８ｂ  開閉部材固定部
３８ａ1，３８ｂ1  係止基部
３８ａ2，３８ｂ2  係止外れ止め部
４０  開閉部材
４２ａ，４２ｂ  固定先端部
４４  巻線部
４６ａ，４６ｂ  規制腕部
５０，５５０  綴杆係止部
５２ａ，５４ａ  凹部
５２ｂ，５４ｂ  凸部
６０，６２，１６０，１６２  第１の保持部
６４，６６，１６４，１６６  第２の保持部
６８ａ，７０ａ，７２ａ，７４ａ  切り込み
１３０ｄ  第１の作動片の向こう側凹み部
１３０ｅ  第１の作動片の手前側凹み部
１３０ｆ，１３２ｆ  規制凹部
１３０ｇ，１３２ｇ  規制凸起
１３２ｄ  第２の作動片の向こう側凹み部
１３２ｅ  第２の作動片の手前側凹み部
１３６ａ  第１係合部
１３６ａ1  第１の作動片の向こう側第１係合部
１３６ａ2  第１の作動片の手前側第１係合部
１３６ａ3  第２の作動片の手前側第１係合部
１３６ａ4  第２の作動片の向こう側第１係合部
１３６ｂ  第２係合部
１３６ｂ1  第２の作動片の向こう側第２係合部
１３６ｂ2  第２の作動片の手前側第２係合部
１３６ｂ3  第１の作動片の手前側第２係合部
１３６ｂ4  第１の作動片の向こう側第２係合部
２３０ｈ，２３２ｈ  突条
２３４ａ，２３４ｂ，２３４ｃ，２３４ｄ  ビード
２３４ａ1，２３４ｂ1，２３４ｃ1，２３４ｄ1  第１直線部
２３４ａ2，２３４ｂ2，２３４ｃ2，２３４ｄ2  第２直線部
２３４ａ3，２３４ｂ3，２３４ｃ3，２３４ｄ3  斜線部
５１０  綴具
５１２  第１の綴じ環
５１２ａ  第１の綴じ部材
５１２ｂ  第２の綴じ部材
５１３  第２の綴じ環
５１３ａ  第３の綴じ部材
５１３ｂ  第４の綴じ部材
５１４  第３の綴じ環
５１４ａ  第５の綴じ部材
５１４ｂ  第６の綴じ部材
５１５  第４の綴じ環
５１５ａ  第７の綴じ部材
５１５ｂ  第８の綴じ部材
５１６  保持部材
５１８  作動部材
５２０  取付孔
５２２  被綴じ物載置部
５２４  保持壁
５２４ａ  第１の保持壁
５２４ｂ  第２の保持壁
５２６  第１の貫通孔
５２７  第２の貫通孔
５２８  第３の貫通孔
５２９  第４の貫通孔
５３０，５３２  作動片
５３０ａ，５３２ａ  突き合わせ縁
５３０ｂ，５３２ｂ  外側端縁
５３０ｃ1，５３０ｃ2，５３０ｃ3，５３２ｃ1，５３２ｃ2，５３２ｃ3  突出部
５３０ｆ、５３２ｆ  規制凹部
５３０ｇ、５３２ｇ  規制凸部
５３０ｈ，５３２ｈ  突条
５３４ａ、５３４ｂ，５３４ｃ，５３４ｄ，５３４ｅ，５３４ｆ  ビード
５３４ａ1，５３４ｂ1，５３４ｃ1，５３４ｄ1  第１直線部
５３４ａ2，５３４ｂ2，５３４ｃ2，５３４ｄ2  第２直線部
５３４ａ3，５３４ｂ3，５３４ｃ3，５３４ｄ3  斜線部
５３６ａ  第１係合部
５３６ａ1  第１の作動片の向こう側第１係合部
５３６ａ2  第１作動片の手前側第１係合部
５３６ａ3  第２の作動片の手前側第１係合部
５３６ａ4  第２の作動片の向こう側第１係合部
５３６ｂ  第２係合部
５３６ｂ1  第２の作動片の向こう側第２係合部
５３６ｂ2  第２の作動片の手前側第２係合部
５３６ｂ3  第１の作動片の手前側第２係合部
５３６ｂ4  第１の作動片の向こう側第２係合部
５３８ａ1，５３８ａ2，５３８ｂ1，５３８ｂ2  開閉部材固定部
５４０，５４２  開閉部材
５４０ａ，５４０ｂ，５４２ａ，５４２ｂ  固定先端部
５６０，５６２  第１保持部
５６４，５６６  第２保持部
５６１，５６５  第３保持部
６１０  綴具
６１２  第１の綴じ環
６１２ａ  第１の綴じ部材
６１２ｂ  第２の綴じ部材
６１３  第２の綴じ環
６１３ａ  第３の綴じ部材
６１３ｂ  第４の綴じ部材
６１４  第３の綴じ環
６１４ａ  第５の綴じ部材
６１４ｂ  第６の綴じ部材
６１６  保持部材
６１８  作動部材
６２０  取付孔
６２２  被綴じ物載置部
６２４  保持壁
６２４ａ  第１の保持壁
６２４ｂ  第２の保持壁
６２６  第１の貫通孔
６２７  第２の貫通孔
６２８  第３の貫通孔
６３０  第１の作動片
６３０ａ，６３２ａ  突き合わせ縁
６３０ｂ，６３２ｂ  外側端縁
６３０ｃ1，６３０ｃ2，６３０ｃ3，６３２ｃ1，６３２ｃ2，６３２ｃ3  突出部
６３０ｆ、６３２ｆ  規制凹部
６３０ｇ、６３２ｇ  規制凸部
６３０ｈ，６３２ｈ  突条
６３２  第２の作動片
６３４ａ，６３４ｂ，６３４ｃ，６３４ｄ，６３４ｅ，６３４ｆ  ビード
６３４ａ1，６３４ｂ1，６３４ｃ1，６３４ｄ1，６３４ｅ1，６３４ｆ1  第１直線部
６３４ａ2，６３４ｂ2，６３４ｃ2，６３４ｄ2，６３４ｅ2，６３４ｆ2  第２直線部
６３４ａ3，６３４ｂ3，６３４ｃ3，６３４ｄ3，６３４ｅ3，６３４ｆ3  斜線部
６３６ａ  第１係合部
６３６ａ1  第１の作動片の向こう側第１係合部
６３６ａ2  第１作動片の手前側第１係合部
６３６ａ3  第２の作動片の手前側第１係合部
６３６ａ4  第２の作動片の向こう側第１係合部
６３６ａ5，６３６ａ6  第１係合部
６３６ｂ  第２係合部
６３６ｂ1  第２の作動片の向こう側第２係合部
６３６ｂ2  第２の作動片の手前側第２係合部
６３６ｂ3  第１の作動片の手前側第２係合部
６３６ｂ4  第１の作動片の向こう側第２係合部
６３８ａ1，６３８ａ2，６３８ｂ1，６３８ｂ2  開閉部材固定部
６４０，６４１，６４２  開閉部材
６４０ａ，６４０ｂ，６４２ａ，６４２ｂ  固定先端部
６５０  綴杆係止部
６６０，６６２  第１保持部
６６４，６６６  第２保持部
６６１，６６５  第３保持部
７３０ｄ  第１の作動片の向こう側凹み部７３０ｄ
７３０ｅ  第１の作動片の手前側凹み部中央
７３２ｄ  第２の作動片の向こう側凹み部
７３２ｅ  第２の作動片の手前側凹み部
８３０ｄ  第１の作動片の向こう側凹み部
８３０ｄ5  第１の作動片の中央の凹み部
８３０ｅ  第１の作動片の手前側凹み部
８３２ｄ  第２の作動片の向こう側凹み部
８３２ｄ5  第２の作動片の凹み部
８３２ｅ  第２の作動片の手前側凹み部
１１１０  表紙
１１１２  表表紙
１１１４  裏表紙
１１１６  背表紙
１１１８，１１２０  薄肉ヒンジ部
Ａ  表紙
Ｓ  被綴じ物
【図１】
2010036555.tif 000003
【図２】
2010036555.tif 000004
【図３】
2010036555.tif 000005
【図４】
2010036555.tif 000006
【図５】
2010036555.tif 000007
【図６】
2010036555.tif 000008
【図７Ａ】
2010036555.tif 000009
【図７Ｂ】
2010036555.tif 000010
【図７Ｃ】
2010036555.tif 000011
【図７Ｄ】
2010036555.tif 000012
【図８】
2010036555.tif 000013
【図９】
2010036555.tif 000014
【図１０】
2010036555.tif 000015
【図１１】
2010036555.tif 000016
【図１２】
2010036555.tif 000017
【図１３】
2010036555.tif 000018
【図１４】
2010036555.tif 000019
【図１５】
2010036555.tif 000020
【図１６】
2010036555.tif 000021
【図１７】
2010036555.tif 000022
【図１８】
2010036555.tif 000023
【図１９】
2010036555.tif 000024
【図２０】
2010036555.tif 000025
【図２１】
2010036555.tif 000026
【図２２】
2010036555.tif 000027
【図２３】
2010036555.tif 000028
【図２４】
2010036555.tif 000029
【図２５】
2010036555.tif 000030
【図２６】
2010036555.tif 000031
【図２７】
2010036555.tif 000032
【図２８】
2010036555.tif 000033
【図２９】
2010036555.tif 000034
【図３０】
2010036555.tif 000035
【図３１】
2010036555.tif 000036
【図３２】
2010036555.tif 000037
【図３３】
2010036555.tif 000038
【図３４】
2010036555.tif 000039
【図３５】
2010036555.tif 000040
【図３６】
2010036555.tif 000041
【図３７】
2010036555.tif 000042